【事件の表示】
　特許第５９３５７３８号発明「画像読取装置」の特許異議申立事件について、次のとおり決定する。
【結　論】
　特許第５９３５７３８号の特許請求の範囲を訂正請求書に添付された訂正特許請求の範囲のとおり、訂正後の請求項〔１−８〕、９について訂正することを認める。
　特許第５９３５７３８号の請求項１−３、６−９に係る特許を維持する。
　特許第５９３５７３８号の請求項４、５に係る特許についての特許異議の申立てを却下する。
【理　由】
第１　手続の経緯
　特許第５９３５７３８号の請求項１〜９に係る特許についての出願は、平成２５年３月２９日に特許出願され、平成２８年５月２０日にその特許権の設定登録がされ、その後、その特許について、特許異議申立人椎名彊により特許異議の申立てがされ、平成２９年１月２４日付けで取消理由が通知され、平成２９年３月３１日に意見書の提出及び訂正の請求があり、その訂正の請求に対して特許異議申立人椎名彊から平成２９年５月１９日付けで意見書が提出されたものである。
　　
第２　訂正の適否についての判断
１　訂正の内容
　本件訂正請求による訂正の内容は以下の（１）、（２）のとおりである。
（１）請求項１〜８に係る訂正
ア　請求項１に係る訂正
（ア）訂正事項１
　特許請求の範囲の請求項１における「第２ケーブルとを備え、前記第１ケーブルは、」を、「第２ケーブルとを備え、前記第１コネクタは、前記第１読取部に対して前記第２読取部と反対側に配置され、前記第１ケーブルは、」に訂正する。
　　
（イ）訂正事項２
　特許請求の範囲の請求項１における「前記第１ケーブルは、前記第１コネクタと」を、「前記第１ケーブルは、面および厚みを有するフレキシブルフラットケーブルであり、前記第１コネクタと」に訂正する。
　　
（ウ）訂正事項３
　特許請求の範囲の請求項１における「前記第３コネクタとの間で、前記第１読取部を前記駆動源側に迂回する」を、「前記第３コネクタとの間で、前記第１コネクタから前記第１読取部を前記駆動源側に越える位置まで、前記面を前記第１読取部に向けて延び、前記第１読取部を前記駆動源側に越えて、前記駆動源に対して前記搬送方向および前記幅方向の両方向と直交する直交方向における前記第２読取部に対する前記第１読取部側から対向する位置で前記第２読取部側に屈曲し、前記駆動源に対して前記搬送方向の下流側から対向する位置において、前記第２読取部を前記直交方向における前記第１読取部側と反対側に越える位置まで、前記面を前記駆動源に向けて延びている」に訂正する。
　　
イ　請求項４に係る訂正（訂正事項４）
　特許請求の範囲の請求項４を削除する。
　　
ウ　請求項５に係る訂正（訂正事項５）
　特許請求の範囲の請求項５を削除する。
　　
エ　請求項６に係る訂正
（ア）訂正事項６
　特許請求の範囲の請求項６における「前記搬送方向および前記幅方向の両方向と直交する直交方向に延びる壁部を備え、」を、「前記搬送方向および前記幅方向の両方向と直交する直交方向に延び、前記幅方向の一方側の端縁が前記第１ケーブルに対して前記幅方向の一方側に位置する壁部を備え、」に訂正する。
　　
（イ）訂正事項７
　特許請求の範囲の請求項６における「壁部を備え、前記第１ケーブルは、」を、「壁部を備え、前記壁部は、前記駆動源に対して前記直交方向の一方側の位置と前記駆動源に対して前記搬送方向の下流側の位置との間を延びる第１壁部と、前記駆動源に対して前記搬送方向の下流側の位置と前記駆動源に対して前記直交方向の他方側の位置との間を延びる第２壁部とを含み、前記第１ケーブルは、」に訂正する。
　　
オ　請求項７に係る訂正
（ア）訂正事項８
　特許請求の範囲の請求項７における「第３ケーブルとを備え、前記第３ケーブルは、」を、「第３ケーブルとを備え、前記第６コネクタは、前記第１読取部に対して前記第２読取部と反対側に配置され、前記第３ケーブルは、」に訂正する。
　　
（イ）訂正事項９
　特許請求の範囲の請求項７における「前記第３ケーブルは、前記第５コネクタ」を、「前記第３ケーブルは、面および厚みを有するフレキシブルフラットケーブルであり、前記第５コネクタ」に訂正する。
　　
（ウ）訂正事項１０
　特許請求の範囲の請求項７における「前記第６コネクタとの間で、前記第１読取部を前記駆動源側に迂回する」を、「前記第６コネクタとの間で、前記第６コネクタから前記第１読取部を前記駆動源側に越える位置まで、前記面を前記第１読取部に向けて延び、前記第１読取部を前記駆動源側に越えて、前記駆動源に対して前記直交方向における前記読み取り部に対する前記第１読取部側から対向する位置で、前記第２読取部側に屈曲し、前記駆動源に対して前記搬送方向の下流側から対向する位置において、前記第２読取部を前記直交方向における前記第１読取部側と反対側に越える位置まで、前記面を前記駆動源に向けて延びている」に訂正する。
　　
（エ）訂正事項１１
　特許請求の範囲の請求項７における「請求項１〜６のいずれか」を、「請求項１〜３、６のいずれか」に訂正する。
　　
（２）請求項９に係る訂正
ア　訂正事項１
　特許請求の範囲の請求項９における「前記第１ケーブルは、前記第１コネクタと」を、「前記第１ケーブルは、面および厚みを有するフレキシブルフラットケーブルであり、前記第１コネクタと」に訂正する。
　　
イ　訂正事項２
　特許請求の範囲の請求項９における「前記第３コネクタとの間で、前記第１読取部を前記駆動源側に迂回し」を、「前記第３コネクタとの間で、前記第１コネクタから前記第１読取部を前記駆動源側に越える位置まで、前記面を前記第１読取部に向けて延び、前記第１読取部を前記駆動源側に越えて、前記駆動源に対して上側から対向する位置で下側に屈曲し、前記駆動源に対して前記搬送方向の下流側から対向する位置において、前記第２読取部を下側に越える位置まで、前記面を前記駆動源に向けて延び」に訂正する。
　なお、訂正請求書１９頁「（ｂ）訂正事項２」の記載は、訂正請求書に添付した訂正特許請求の範囲の請求項９の記載から、誤記と認められる。
　　
２　訂正の目的の適否、一群の請求項、新規事項の有無、及び特許請求の範囲の拡張・変更の存否
（１）請求項１〜８に係る訂正
ア　請求項１に係る訂正
（ア）訂正事項１
　明細書の発明の詳細な説明の段落【００４３】〜【００４４】には、
「操作部９は、図４に示されるように、第１読取部３５および第２読取部３６の上側に配置されている。第１読取部３５は、第２読取部３６の上側に配置されている。そして、画像読取装置１は、基板の一例としてのメイン基板５０を備えている。メイン基板５０は、第２読取部３６の下側に配置されている。
　第１読取部３５は、図５および図６に示されるように、ユニット基板５１を備えている。ユニット基板５１は、第１読取部３５の上端に配置されている。第１読取部３５は、非図示のＬＥＤ光源およびイメージセンサなどの電子部品を備えている。これらの電子部品は、ユニット基板５１の下面に実装されている。また、第１読取部３５は、第１コネクタ５２を備えている。第１コネクタ５２は、ユニット基板５１の上面の右前端部に、差込口５３をシートＳの搬送方向の下流側、つまり前側に向けて配置されている。また、第１コネクタ５２は、上フレーム６の第１収容部４１の右端部に形成された切欠５４内に配置されている。切欠５４は、前側に開放されている。」
と記載され、図４を参酌すると、「第１コネクタは、第１読取部に対して第２読取部と反対側に配置され」ていることが記載されていると認められる。
　訂正事項１の訂正は、明細書に記載された事項の範囲内において「第１コネクタ」の配置を限定したものといえるから、特許請求の範囲の減縮を目的とするものであって、新規事項の追加に該当せず、また、実質上特許請求の範囲を拡張し、又は変更するものではない。
　　
（イ）訂正事項２
　明細書の発明の詳細な説明の段落【００４８】には、
「そして、画像読取装置１は、第１ケーブル６６、第２ケーブル６７および第３ケーブル６８を備えている。第１ケーブル６６、第２ケーブル６７および第３ケーブル６８は、それぞれＦＦＣ（Flexible Flat Cable：フレキシブルフラットケーブル）からなる。」
と記載され、「フレキシブルフラットケーブル」が「面および厚みを有する」ことは明らかであって、図４、図５には、「面および厚みを有するフレキシブルフラットケーブル６６」が示されているから、「第１ケーブルが、面および厚みを有するフレキシブルフラットケーブルであ」ることが、明細書に記載されていると認められる。
　訂正事項２の訂正は、明細書に記載された事項の範囲内において「第１ケーブル」を限定したものといえるから、特許請求の範囲の減縮を目的とするものであって、新規事項の追加に該当せず、また、実質上特許請求の範囲を拡張し、又は変更するものではない。
　　
（ウ）訂正事項３
　明細書の発明の詳細な説明の段落【００６０】〜【００６２】には、
「第１ケーブル６６は、図４に示されるように、第１折返し部１１４、第２折返し部１１５、第１延部１１６、第３折返し部１１７、第２延部１１８、第４折返し部１１９および第３延部１２０を形成している。
　第１折返し部１１４は、第１コネクタ５２から前側に延びて上側に折り返された後、後側に折り返されて形成されている。第２折返し部１１５は、第１折返し部１１４から後側に延びた後、左側に折り返されて形成されている。第１延部１１６は、第２折返し部１１５から左側に延びている。第３折返し部１１７は、第１延部１１６の端部を前側に折り返されて形成されている。第２延部１１８は、第３折返し部１１７から前側に延び、下側に湾曲しつつ延び、後側にさらに延びている。第４折返し部１１９は、第２延部１１８の端部を右側に折り返されて形成されている。第３延部１２０は、第４折返し部１１９から右側に延びて、第３コネクタ５９に接続されている。
　第１延部１１６は、第１読取部３５の上側に位置する上フレーム６の上側を第１読取部３５に沿って第１読取部３５の右端部から左側に延びている。第３折返し部１１７は、上フレーム６の前上壁部１１１の上側に位置している。第２延部１１８は、上フレーム６の前上壁部１１１の上側、前縦壁部１１３の前側、左フレーム４の内周前壁部７８の前側および内周下壁部７９の下側に配置され、この順に沿って引き回されている。第４折返し部１１９は、左フレーム４の内周下壁部７９の下側に位置している。第２延部１１８は、内周前壁部７８の前側および内周下壁部７９の下側で、内周壁部７１の外周面に当接している。」
と記載され、図４を参酌すると、第１ケーブルは、第１コネクタと第３コネクタとの間で、「前記第１コネクタから前記第１読取部を前記駆動源側に越える位置まで、前記面を前記第１読取部に向けて延び、前記第１読取部を前記駆動源側に越えて、前記駆動源に対して前記搬送方向および前記幅方向の両方向と直交する直交方向における前記第２読取部に対する前記第１読取部側から対向する位置で前記第２読取部側に屈曲し、前記駆動源に対して前記搬送方向の下流側から対向する位置において、前記第２読取部を前記直交方向における前記第１読取部側と反対側に越える位置まで、前記面を前記駆動源に向けて延びている」ことが、明細書に記載されていると認められる。
　訂正事項３の訂正は、明細書に記載された事項の範囲内において「第１ケーブル」が「第１コネクタと第３コネクタとの間で」、どのように配策されているかを限定したものといえるから、特許請求の範囲の減縮を目的とするものであって、新規事項の追加に該当せず、また、実質上特許請求の範囲を拡張し、又は変更するものではない。
　　
イ　請求項４に係る訂正（訂正事項４）
　訂正事項４は、特許請求の範囲の減縮を目的とし、新規事項の追加に該当せず、また、実質上特許請求の範囲を拡張し、又は変更するものではない。
　　
ウ　請求項５に係る訂正（訂正事項５）
　訂正事項５は、特許請求の範囲の減縮を目的とし、新規事項の追加に該当せず、また、実質上特許請求の範囲を拡張し、又は変更するものではない。
　　
　エ　請求項６に係る訂正
（ア）訂正事項６
　明細書の発明の詳細な説明の段落【００５２】〜【００５４】には、
「図５および図１１に示されるように、左フレーム４は、内壁部７０および内周壁部７１を備えている。
　内壁部７０は、第１読取部３５および第２読取部３６の左側に位置している。内壁部７０は、前後方向および上下方向に延びている。内壁部７０の上端縁７３は、前後方向に延び、途中で屈曲して、その屈曲部分から前下側に傾斜して延びている。内壁部７０の前端縁７４は、上下方向に延びている。内壁部７０の後端縁７５は、上下方向に延びている。内壁部７０の下端縁７６は、前後方向に延びている。
　内周壁部７１は、内壁部７０から左側に延びている。内周壁部７１は、内周上壁部７７、壁部の一例としての内周前壁部７８、内周下壁部７９および内周後壁部８０を備えている。内周上壁部７７は、内壁部７０の上端縁７３の全体および前端縁７４の上部に沿って形成されている。内周前壁部７８は、内壁部７０の前端縁７４の下部に沿って形成されている。内周上壁部７７の前端と内周前壁部７８の上端との間には、隙間が生じている。内周下壁部７９は、内壁部７０の下端縁７６に沿って形成されている。内周下壁部７９の前端は、内周前壁部７８の下端に接続されている。内周後壁部８０は、内壁部７０の後端縁７５に沿って形成されている。内周後壁部８０には、穴８１が前後方向に貫通して形成されている。内周後壁部８０の下端は、内周下壁部７９の後端に接続されている。内周後壁部８０の上端は、内周上壁部７７の後端に接続されている。」
と記載され、段落【００６２】には、
「第１延部１１６は、第１読取部３５の上側に位置する上フレーム６の上側を第１読取部３５に沿って第１読取部３５の右端部から左側に延びている。第３折返し部１１７は、上フレーム６の前上壁部１１１の上側に位置している。第２延部１１８は、上フレーム６の前上壁部１１１の上側、前縦壁部１１３の前側、左フレーム４の内周前壁部７８の前側および内周下壁部７９の下側に配置され、この順に沿って引き回されている。第４折返し部１１９は、左フレーム４の内周下壁部７９の下側に位置している。第２延部１１８は、内周前壁部７８の前側および内周下壁部７９の下側で、内周壁部７１の外周面に当接している。」
と記載され、図５、図１１を参酌すると、「前記搬送方向および前記幅方向の両方向と直交する直交方向に延び、前記幅方向の一方側の端縁が前記第１ケーブルに対して前記幅方向の一方側に位置する壁部を備え」ることが明細書に記載されていると認められる。
　訂正事項６の訂正は、明細書に記載された事項の範囲内において「壁部」が「前記幅方向の一方側の端縁が前記第１ケーブルに対して前記幅方向の一方側に位置する」ことを限定したものといえるから、特許請求の範囲の減縮を目的とするものであって、新規事項の追加に該当せず、また、実質上特許請求の範囲を拡張し、又は変更するものではない。
　　
（イ）訂正事項７
　明細書の発明の詳細な説明の段落【００５２】〜【００５４】、【００６２】の記載は、上記（ア）のとおりであり、図５、図１１を参酌すると、「前記壁部は、前記駆動源に対して前記直交方向の一方側の位置と前記駆動源に対して前記搬送方向の下流側の位置との間を延びる第１壁部と、前記駆動源に対して前記搬送方向の下流側の位置と前記駆動源に対して前記直交方向の他方側の位置との間を延びる第２壁部とを含」むことが記載されていると認められる。
　訂正事項７の訂正は、明細書に記載された事項の範囲内において「壁部」が「前記駆動源に対して前記直交方向の一方側の位置と前記駆動源に対して前記搬送方向の下流側の位置との間を延びる第１壁部と、前記駆動源に対して前記搬送方向の下流側の位置と前記駆動源に対して前記直交方向の他方側の位置との間を延びる第２壁部とを含」むことを限定したものといえるから、特許請求の範囲の減縮を目的とするものであって、新規事項の追加に該当せず、また、実質上特許請求の範囲を拡張し、又は変更するものではない。
　　
オ　請求項７に係る訂正
（ア）訂正事項８
　明細書の発明の詳細な説明の段落【００４７】には、
「第６コネクタ６３は、パネル制御基板６２の下面の前端部に、差込口６５を前側に向けて配置されている。第６コネクタ６３は、パネル制御基板６２に形成されている回路と電気的に接続されている。」
と記載され、図４を参酌すると、「前記第６コネクタは、前記第１読取部に対して前記第２読取部と反対側に配置され」ることが記載されていると認められる。
　訂正事項８の訂正は、明細書に記載された事項の範囲内において「第６コネクタ」が「前記第１読取部に対して前記第２読取部と反対側に配置され」ることを限定したものといえるから、特許請求の範囲の減縮を目的とするものであって、新規事項の追加に該当せず、また、実質上特許請求の範囲を拡張し、又は変更するものではない。
　　
（イ）訂正事項９
　明細書の発明の詳細な説明の段落【００４８】には、
「第１ケーブル６６、第２ケーブル６７および第３ケーブル６８は、それぞれＦＦＣ（Flexible Flat Cable : フレキシブルフラットケーブル）からなる。」
と記載され、「フレキシブルフラットケーブル」が「面および厚みを有する」ことは明らかであって、図４には、「面および厚みを有するフレキシブルフラットケーブル６８」が示されているから、「第３ケーブルが、面および厚みを有するフレキシブルフラットケーブルであ」ることが、明細書に記載されていると認められる。
　訂正事項９の訂正は、明細書に記載された事項の範囲内において「第３ケーブル」を限定したものといえるから、特許請求の範囲の減縮を目的とするものであって、新規事項の追加に該当せず、また、実質上特許請求の範囲を拡張し、又は変更するものではない。
　　
（ウ）訂正事項１０
　明細書の発明の詳細な説明の段落【００６６】〜【００６８】には、
「第３ケーブル６８は、図１０に示されるように、第１折返し部１２６、第２折返し部１２７、第１延部１２８、第３折返し部１２９、第２延部１３０、第４折返し部１３１、第３延部１３２、第５折返し部１３３、第４延部１３４、第６折返し部１３５および第５延部１３６を形成している。
　第１折返し部１２６は、第６コネクタ６３から前側に延びて下側に折り返された後、後側に折り返されて形成されている。第２折返し部１２７は、第１折返し部１２６から後側に延びた後、左側に折り返されて形成されている。第１延部１２８は、第２折返し部１２７から左側に延びている。第３折返し部１２９は、第１延部１２８の端部を前側に折り返されて形成されている。第２延部１３０は、第３折返し部１２９から前側に延び、下側に湾曲しつつ延び、後側に延びている。第４折返し部１３１は、第２延部１３０の端部を右側に折り返されて形成されている。第３延部１３２は、第４折返し部１３１から右側に延びている。第５折返し部１３３は、第３延部１３２の端部を後側に折り返されて形成されている。第４延部１３４は、第５折返し部１３３から後側に延びている。第６折返し部１３５は、第４延部１３４の端部を右側に折り返されて形成されている。第５延部１３６は、第６折返し部１３５から右側に延びて、第５コネクタ６１に接続されている。
　第３ケーブル６８の第３折返し部１２９は、図４に示されるように、第１ケーブル６６の第３折返し部１１７の上側に位置している。第２延部１３０は、内周壁部７１に対して第１ケーブル６６の第２延部１１８の外側を、第１ケーブル６６の第２延部１１８に沿って引き回されている。第３ケーブル６８の第２延部１３０は、図１１に示されるように、内周前壁部７８の前側の下端部において、ケーブル挿通部８９により、第１ケーブル６６の第２延部１１８と間隔を空けて保持されている。これにより、第３ケーブル６８の第２延部１３０は、内周上壁部７７の上側および内周前壁部７８の前側において、第１ケーブル６６の第２延部１１８と間隔が空けられている。」
と記載され、図４を参酌すると、「第３ケーブル」が、「前記第６コネクタから前記第１読取部を前記駆動源側に越える位置まで、前記面を前記第１読取部に向けて延び、前記第１読取部を前記駆動源側に越えて、前記駆動源に対して前記直交方向における前記読み取り部に対する前記第１読取部側から対向する位置で、前記第２読取部側に屈曲し、前記駆動源に対して前記搬送方向の下流側から対向する位置において、前記第２読取部を前記直交方向における前記第１読取部側と反対側に越える位置まで、前記面を前記駆動源に向けて延びている」ることが、明細書に記載されていると認められる。
　訂正事項１０の訂正は、明細書に記載された事項の範囲内において「第３ケーブル」が「第５コネクタと第６コネクタとの間で」、どのように配策されているかを限定したものといえるから、特許請求の範囲の減縮を目的とするものであって、新規事項の追加に該当せず、また、実質上特許請求の範囲を拡張し、又は変更するものではない。
　　
（エ）訂正事項１１
　訂正事項１１は、訂正前の請求項７が請求項１〜６の記載を引用する記載であるところ、請求項４、５を引用しないものとするための訂正であって、特許請求の範囲の減縮を目的とするものである。
　そして、訂正事項１１は、新規事項の追加に該当せず、また、実質上特許請求の範囲を拡張し、又は変更するものではない。
　　
カ　一群の請求項
　上記訂正事項１〜１１は、一群の請求項に対して請求されたものである。
　　
（２）請求項９に係る訂正
ア　訂正事項１
　明細書の発明の詳細な説明の段落【００４８】には、
「そして、画像読取装置１は、第１ケーブル６６、第２ケーブル６７および第３ケーブル６８を備えている。第１ケーブル６６、第２ケーブル６７および第３ケーブル６８は、それぞれＦＦＣ（Flexible Flat Cable：フレキシブルフラットケーブル）からなる。」
と記載され、「フレキシブルフラットケーブル」が「面および厚みを有する」ことは明らかであって、図４、図５には、「面および厚みを有するフレキシブルフラットケーブル６６」が示されているから、「第１ケーブルが、面および厚みを有するフレキシブルフラットケーブルであ」ることが、明細書に記載されていると認められる。
　訂正事項１の訂正は、明細書に記載された事項の範囲内において「第１ケーブル」を限定したものといえるから、特許請求の範囲の減縮を目的とするものであって、新規事項の追加に該当せず、また、実質上特許請求の範囲を拡張し、又は変更するものではない。
　　
イ　訂正事項２
　明細書の発明の詳細な説明の段落【００６０】〜【００６２】には、
「第１ケーブル６６は、図４に示されるように、第１折返し部１１４、第２折返し部１１５、第１延部１１６、第３折返し部１１７、第２延部１１８、第４折返し部１１９および第３延部１２０を形成している。
　第１折返し部１１４は、第１コネクタ５２から前側に延びて上側に折り返された後、後側に折り返されて形成されている。第２折返し部１１５は、第１折返し部１１４から後側に延びた後、左側に折り返されて形成されている。第１延部１１６は、第２折返し部１１５から左側に延びている。第３折返し部１１７は、第１延部１１６の端部を前側に折り返されて形成されている。第２延部１１８は、第３折返し部１１７から前側に延び、下側に湾曲しつつ延び、後側にさらに延びている。第４折返し部１１９は、第２延部１１８の端部を右側に折り返されて形成されている。第３延部１２０は、第４折返し部１１９から右側に延びて、第３コネクタ５９に接続されている。
　第１延部１１６は、第１読取部３５の上側に位置する上フレーム６の上側を第１読取部３５に沿って第１読取部３５の右端部から左側に延びている。第３折返し部１１７は、上フレーム６の前上壁部１１１の上側に位置している。第２延部１１８は、上フレーム６の前上壁部１１１の上側、前縦壁部１１３の前側、左フレーム４の内周前壁部７８の前側および内周下壁部７９の下側に配置され、この順に沿って引き回されている。第４折返し部１１９は、左フレーム４の内周下壁部７９の下側に位置している。第２延部１１８は、内周前壁部７８の前側および内周下壁部７９の下側で、内周壁部７１の外周面に当接している。」
と記載され、図４を参酌すると、「第１ケーブル」が、「前記第１コネクタから前記第１読取部を前記駆動源側に越える位置まで、前記面を前記第１読取部に向けて延び、前記第１読取部を前記駆動源側に越えて、前記駆動源に対して上側から対向する位置で下側に屈曲し、前記駆動源に対して前記搬送方向の下流側から対向する位置において、前記第２読取部を下側に越える位置まで、前記面を前記駆動源に向けて延び」ることが、明細書に記載されていると認められる。
　訂正事項２の訂正は、明細書に記載された事項の範囲内において「第１ケーブル」が「第１コネクタと第３コネクタとの間で」、どのように配策されているかを限定したものといえるから、特許請求の範囲の減縮を目的とするものであって、新規事項の追加に該当せず、また、実質上特許請求の範囲を拡張し、又は変更するものではない。
　　
（３）小括
　以上のとおりであるから、本件訂正請求による訂正は特許法第１２０条の５第２項第１号に掲げる事項を目的とするものであり、かつ、同条第４項、及び、同条第９項において準用する同法第１２６条第５項から第６項までの規定に適合するので、訂正後の請求項１〜９について訂正を認める。
　　
第３　特許異議の申立てについて
１　本件発明
　本件訂正請求により訂正された訂正請求項１〜９（以下「本件発明１」〜「本件発明９」という。）は、その特許請求の範囲の請求項１〜９に記載された次の事項により特定されるとおりのものである。
　ただし、（１Ａ）〜（９Ｋ）は当審で付与した。以下各構成要件を「構成要件１Ａ」等という。
　なお、請求項４及び請求項５は削除された。
　　
（本件発明１）
（１Ａ）第１コネクタを有し、搬送路を搬送方向に搬送されるシートの画像を読み取るように構成された第１読取部と、
（１Ｂ）前記搬送路に対して前記第１読取部と反対側に配置され、第２コネクタを有し、前記搬送路を前記搬送方向に搬送される前記シートの画像を読み取るように構成された第２読取部と、
（１Ｃ）前記第１読取部および前記第２読取部に対して前記搬送方向と直交する幅方向の一方側に配置され、前記シートを搬送するための駆動力を発生する駆動源と、
（１Ｄ）前記第１読取部に対して前記第２読取部側に配置され、第３コネクタおよび第４コネクタを有する基板と、
（１Ｅ）前記第１コネクタに一端が接続され、前記第３コネクタに他端が接続された第１ケーブルと、
（１Ｆ）前記第２コネクタに一端が接続され、前記第４コネクタに他端が接続された第２ケーブルとを備え、
（１Ｇ）前記第１コネクタは、前記第１読取部に対して前記第２読取部と反対側に配置され、
（１Ｈ）前記第１ケーブルは、面および厚みを有するフレキシブルフラットケーブルであり、前記第１コネクタと前記第３コネクタとの間で、前記第１コネクタから前記第１読取部を前記駆動源側に越える位置まで、前記面を前記第１読取部に向けて延び、前記第１読取部を前記駆動源側に越えて、前記駆動源に対して前記搬送方向および前記幅方向の両方向と直交する直交方向における前記第２読取部に対する前記第１読取部側から対向する位置で前記第２読取部側に屈曲し、前記駆動源に対して前記搬送方向の下流側から対向する位置において、前記第２読取部を前記直交方向における前記第１読取部側と反対側に越える位置まで、前記面を前記駆動源に向けて延びている、
（１Ｉ）画像読取装置。
　　
（本件発明２）
（２Ａ）前記基板は、前記第２読取部に対して前記第１読取部と反対側に配置され、
（２Ｂ）前記第２コネクタは、前記第２読取部における前記基板側に設けられ、
（２Ｃ）前記第２ケーブルは、前記第２コネクタと前記第４コネクタとの間で前記幅方向に延びる、
（２Ｄ）請求項１に記載の画像読取装置。
　　
（本件発明３）
（３Ａ）前記第１コネクタは、前記第１読取部における前記幅方向の他方側の端部に配置され、
（３Ｂ）前記第２コネクタは、前記第２読取部における前記幅方向の一方側の端部に配置され、
（３Ｃ）前記第３コネクタは、前記基板における前記幅方向の一方側の端部に配置され、
（３Ｄ）前記第４コネクタは、前記基板における前記幅方向の他方側の端部に配置されている、
（３Ｅ）請求項２に記載の画像読取装置。
　　
（本件発明６）
（６Ａ）前記駆動源に対して前記搬送方向の下流側に設けられ、前記搬送方向および前記幅方向の両方向と直交する直交方向に延び、前記幅方向の一方側の端縁が前記第１ケーブルに対して前記幅方向の一方側に位置する壁部を備え、
（６Ｂ）前記壁部は、前記駆動源に対して前記直交方向の一方側の位置と前記駆動源に対して前記搬送方向の下流側の位置との間を延びる第１壁部と、前記駆動源に対して前記搬送方向の下流側の位置と前記駆動源に対して前記直交方向の他方側の位置との間を延びる第２壁部とを含み、
（６Ｃ）前記第１ケーブルは、前記壁部に対して前記搬送方向の下流側を前記壁部に沿って延びる、
（６Ｄ）請求項１〜３のいずれか一項に記載の画像読取装置。
　　
（本件発明７）
（７Ａ）前記基板は、第５コネクタを有し、
（７Ｂ）前記第２読取部に対して前記第１読取部側に配置され、第６コネクタを有し、各種操作を受け付けるように構成される操作部と、
（７Ｃ）前記第５コネクタに一端が接続され、前記第６コネクタに他端が接続された第３ケーブルとを備え、
（７Ｄ）前記第６コネクタは、前記第１読取部に対して前記第２読取部と反対側に配置され、
（７Ｅ）前記第３ケーブルは、面および厚みを有するフレキシブルフラットケーブルであり、前記第５コネクタと前記第６コネクタとの間で、前記第６コネクタから前記第１読取部を前記駆動源側に越える位置まで、前記面を前記第１読取部に向けて延び、前記第１読取部を前記駆動源側に越えて、前記駆動源に対して前記直交方向における前記読み取り部に対する前記第１読取部側から対向する位置で、前記第２読取部側に屈曲し、前記駆動源に対して前記搬送方向の下流側から対向する位置において、前記第２読取部を前記直交方向における前記第１読取部側と反対側に越える位置まで、前記面を前記駆動源に向けて延びている、
（７Ｆ）請求項１〜３、６のいずれか一項に記載の画像読取装置。
　　
（本件発明８）
（８Ａ）前記第１ケーブルと前記第３ケーブルとの間に介在されるフイルムを備える、
（８Ｂ）請求項７に記載の画像読取装置。
　　
（本件発明９）
（９Ａ）シートが搬送される搬送路の上側に配置され、第１コネクタを有し、前記搬送路を搬送方向に搬送されるシートの画像を読み取るように構成された第１読取部と、
（９Ｂ）前記搬送路の下側に配置され、第２コネクタを有し、前記搬送路を前記搬送方向に搬送される前記シートの画像を読み取るように構成された第２読取部と、
（９Ｃ）前記第１読取部および前記第２読取部に対して前記搬送方向と直交する幅方向の一方側に配置され、前記シートを搬送するための駆動力を発生する駆動源と、
（９Ｄ）前記第２読取部の下側に配置され、第３コネクタおよび第４コネクタをそれぞれ前記幅方向の一方側および他方側の端部に有する基板と、
（９Ｅ）前記第１コネクタに一端が接続され、前記第３コネクタに他端が接続された第１ケーブルと、
（９Ｆ）前記第２コネクタに一端が接続され、前記第４コネクタに他端が接続された第２ケーブルとを備え、
（９Ｇ）前記第１コネクタは、前記第１読取部の上側における前記幅方向の他方側の端部に、前記第１ケーブルが前記搬送方向の下流側から接続されるように配置され、
（９Ｈ）前記第２コネクタは、前記第２読取部の下側における前記幅方向の一方側の端部に、前記第２ケーブルが前記搬送方向の下流側から接続されるように配置され、
（９Ｉ）前記第１ケーブルは、面および厚みを有するフレキシブルフラットケーブルであり、前記第１コネクタと前記第３コネクタとの間で、前記第１コネクタから前記第１読取部を前記駆動源側に越える位置まで、前記面を前記第１読取部に向けて延び、前記第１読取部を前記駆動源側に越えて、前記駆動源に対して上側から対向する位置で下側に屈曲し、前記駆動源に対して前記搬送方向の下流側から対向する位置において、前記第２読取部を上下方向における下側に越える位置まで、前記面を前記駆動源に向けて延び、
（９Ｊ）前記第２ケーブルは、前記第２コネクタと前記第４コネクタとの間で、前記幅方向に延びる、
（９Ｋ）画像読取装置。
　　
２　取消理由の概要
　訂正前の請求項１〜９に係る特許に対して平成２９年１月２４日付けで特許権者に通知した取消理由の要旨は、次のとおりである。
　　
（１）請求項１〜３に係る特許は、甲第１号証に記載された発明又は甲第２号証に記載された発明に基づき、容易に発明をすることができたものであるから、特許法第２９条第２項の規定により特許を受けることができないものであり、請求項１〜３に係る特許は、取り消されるべきものである。
　請求項４〜５に係る特許は、甲第１号証に記載された発明又は甲第２号証に記載された発明、及び周知技術に基づき、容易に発明をすることができたものであるから、特許法第２９条第２項の規定により特許を受けることができないものであり、請求項４〜５に係る特許は、取り消されるべきものである。
　　
（２）請求項１〜９に係る特許は、特許法第３６条第４項第１号、第６項第１号、第６項第２号に規定する要件を満たしていない。
　　
ア　請求項１に係る特許では、「駆動源」側にケーブルを迂回させることで幅方向に小型化を図れる理由が不明であり、実施可能要件違反、サポート要件違反、明確性違反がある。請求項１を引用する請求項２乃至請求項８、同様の記載を含む請求項９に係る特許も同じである。
　　
イ　請求項１に係る特許では、「第１ケーブル」と「第２読取部」の位置関係が規定されておらず、実施可能要件違反、サポート要件違反、明確性違反がある。
　　
ウ　請求項４、５に係る特許は、構成が不明確であり、実施可能要件違反、サポート要件違反、明確性違反がある。
  　
エ　請求項６に係る特許は、構成が不明確であり、実施可能要件違反、サポート要件違反、明確性違反がある。
　　
オ　請求項７に係る特許は、「駆動源」側に第３ケーブルを迂回させることで幅方向の小型化を図れる理由が不明であり、実施可能要件違反、サポート要件違反、明確性違反がある。
　　
カ　請求項１、７、９における「ケーブルは、・・・前記第１読取部を前記駆動源側に迂回する」が明確でない。
　　
３　甲号証の記載及び甲号証に記載された発明
（１）甲第１号証
　甲第１号証（特開２０１１−２１１５９５号公報。以下「甲１」という。）には、「画像読取装置」（発明の名称）に関し、図面と共に次に掲げる事項が記載されている（下線は当審が付与した。）。
　　
「【０００１】
　本発明は、
画像読取装置
　　
「【００３２】
　次に、本発明の実施形態について一例を挙げて説明する。
　［複合機の構造］
　図１（ａ）〜同図（ｃ）に示す複合機１は、画像読取装置としての機能（スキャン機能）に加え、その他の機能（例えば、プリント機能、コピー機能、ファクシミリ送受信機能など）を兼ね備えたものである。なお、以下の説明においては、複合機１が備える各部の相対的な位置関係をわかりやすく説明するため、図中に併記した上下左右前後の各方向を利用する。また、図１（ａ）〜同図（ｃ）には、複合機１の外観に加えて、複合機１が内蔵する構成の一部も併記してある。」
　　
「【００３８】
　スキャナユニット３は、
第一イメージセンサ
第二イメージセンサ
　　
「【００４２】
　さらに、スキャナユニット３は、
動力源から伝達される動力で駆動されるローラ
を備えている。
　【００４３】
　
スキャナユニット３がＡＤＦスキャナとして利用される場合
ローラ群が駆動される
原稿は
搬送経路に沿って搬送される
　　
「【００４６】
　上述のローラ群によって搬送される原稿は、中継搬送ローラ３３によって送り出された後、メイン搬送ローラ３４に到達するまでに、第二ＡＤＦガラス２２と第二押さえ部材２４との間を通過する。その際、
第二イメージセンサ１２は、複合機１の前後方向を主走査方向、搬送方向を副走査方向として、副走査方向へ移動する原稿から、主走査方向に並ぶ複数の画素を繰り返し読み取ることで、原稿の裏面側から画像を読み取る
　【００４７】
　また、上記原稿は、メイン搬送ローラ３４によって送り出された後、排出ローラ３５に到達するまでに、第一ＡＤＦガラス２１と第一押さえ部材２３との間を通過する。その際、
第一イメージセンサ１１は、複合機１の前後方向を主走査方向、搬送方向を副走査方向として、副走査方向へ移動する原稿から、主走査方向に並ぶ複数の画素を繰り返し読み取ることで、原稿の表面側から画像を読み取る
　【００４８】
　［複合機１が備えるケーブル及びハーネスの配線経路］
　次に、複合機１が備えるハーネス及びケーブルの配線経路について説明する。
　この複合機１には、すでに説明した構成に加え、図１（ａ）〜同図（ｃ）に併記した通り、
ＡＤＦ駆動用モータ
制御基板
　【００４９】
　そして、
制御基板
第一イメージセンサ
は
第一フレキシブルフラットケーブル
を介して接続されている
制御基板
第二イメージセンサ
は
第二フレキシブルフラットケーブル
を介して接続されている
　　
「【００７３】
　ただし、この並走区間の大部分には、第一ＦＦＣ５１及び第二ＦＦＣ５２が互いに接触するのを防止するＦＦＣスペーサ７１（本発明でいう接触防止部材の一例に相当。）が設けられている。本実施形態において、ＦＦＣスペーサ７１は、近傍にある樹脂製筐体の一部として一体成形された厚さ１ｍｍの板状のものである。このようなＦＦＣスペーサ７１が配設されていれば、第一ＦＦＣ５１及び第二ＦＦＣ５２が過剰に接近したり接触したりすることがないので、一方の信号電流が他方のノイズ源となりにく、制御基板４７への入力信号の品質が向上する。」
　　
「【００９２】
　また、上記実施形態においては、スキャナユニット３が、複合機１に組み込まれる事例を示したが、単機能のイメージスキャナ装置として構成されていてもよい。」
　　
「【図１】
」
　　
　甲１には、「画像読取装置」（段落【０００１】）が記載され、「画像読取装置」は、「第一イメージセンサ」、「第二イメージセンサ」（段落【００３８】）、「ＡＤＦ駆動モータ」、「制御基板」（段落【００４８】）を備えている。
　「第二イメージセンサ」は、「搬送路を搬送方向に搬送されるシートの画像を読み取るように構成され」（段落【００４６】）、「第一イメージセンサ」は、「搬送路に対して第二イメージセンサと反対側に配置され、前記搬送路を前記搬送方向に搬送される前記シートの画像を読み取るように構成され」ている（段落【００４７】、図１(c)）。
　「ＡＤＦ駆動モータ」は、第一イメージセンサおよび第二イメージセンサに対して搬送方向と直交する幅方向の一方側に配置され（図１）、シートを搬送するための駆動力を発生するものである（段落【００４２】〜【００４３】）。
　「制御基板」は、第二イメージセンサに対して第一イメージセンサ側に配置される（図１(c)）。
　「制御基板」と「第一イメージセンサ」は「第一フレキシブルフラットケーブル」を介し接続され、「制御基板」と「第二イメージセンサ」は「第二フレキシブルフラットケーブル」を介し接続されている（段落【００４９】、図１）。第一フレキシブルフラットケーブルと第一イメージセンサ、制御基板とは接続点があり、当該接続点はそれぞれ「第２接続点」、「第４接続点」といい得る。また、第二フレキシブルフラットケーブルと第二イメージセンサ、制御基板とは接続点があり、当該接続点はそれぞれ「第１接続点」、「第３接続点」といい得る。
　第二フレキシブルフラットケーブルは、第二イメージセンサをＡＤＦ駆動モータ側に迂回しているといえる（図１(c)）。
　　
　以上より、甲１には次の発明（以下「甲１発明」という。）が記載されていると認められる。
　　
（甲１発明）
（１ａ）第１接続点を有し、搬送路を搬送方向に搬送されるシートの画像を読み取るように構成された第二イメージセンサと、
（１ｂ）前記搬送路に対して前記第二イメージセンサと反対側に配置され、第２接続点を有し、前記搬送路を前記搬送方向に搬送される前記シートの画像を読み取るように構成された第一イメージセンサと、
（１ｃ）前記第一イメージセンサよび前記第二イメージセンサに対して前記搬送方向と直交する幅方向の一方側に配置され、前記シートを搬送するための駆動力を発生するＡＤＦ駆動モータと、　　
（１ｄ）前記第二イメージセンサに対して前記第一イメージセンサ側に配置され、第３接続点および第４接続点を有する制御基板と、
（１ｅ）前記第１接続点に一端が接続され、前記第３接続点に他端が接続された第二フレキシブルフラットケーブルと、
（１ｆ）前記第２接続点に一端が接続され、前記第４接続点に他端が接続された第一フレキシブルフラットケーブルとを備え、
（１ｇ）第二フレキシブルフラットケーブルは、第二イメージセンサをＡＤＦ駆動モータ側に迂回する
（１ｈ）画像読取装置。
　　
　なお、（１ａ）〜（１ｈ）は、構成を識別するために付与した。以下各構成を「構成１ａ」等という。
　　
（２）甲第２号証
　甲第２号証（特開２０１１−２０５３３５号公報。以下「甲２」という。）には、「画像読取装置」（発明の名称）に関し、図面と共に次に掲げる事項が記載されている（下線は当審が付与した。）。
　　
「【０００１】
　本発明は
画像読取装置
　　
「【００２６】
（実施例）
　図１に示すように、本実施例の複合機１０は、原稿の画像を読み取って電子データ化する画像読取処理、その読み取った電子データに基づいて、被記録媒体（例えば、用紙やＯＨＰシート）に画像を形成する画像形成処理、及び外部と電子データの送受信を行う通信処理等の複数の処理を実行可能なものである。画像読取処理に着目すれば、複合機１０は画像読取装置であるとも言える。図１では、複合機１０の操作パネル３側を装置の前側と規定し、操作パネル３の反対側を装置の後側（背面側）と規定する。また、装置を前側から見た場合に左手に来る側（操作パネル３に向かって左側）を左側と規定し、その反対側を右側と規定して、前後、左右及び上下の各方向を表示する。そして、図２以降に示す各方向は、全て図１に示す各方向に対応させて表示する。以下、図１等に基づいて、複合機１０が備える各構成要素について説明する。」
　　
「【００３２】
　図７のブロック図に示すように、本体部２０の内部には、ＡＤＦ１１内の構成要素、操作パネル３及び画像形成部２９等の各種制御を行う処理部としての制御基板２０１、各構成要素に給電する電源部２０２、及びＬＡＮ回線や公衆電話回線を介して外部と通信する通信部２０３等が設けられている。
　【００３３】
　図２及び図３に示すように、
制御基板２０１
読取部２４
　　
「【００３５】
２．１．本体部側読取部
　図７及び図８に示すように、本体部２０の内部において、コンタクトガラス２２の下方には、本体部側読取部２５が設けられている。
本体部側読取部２５
制御基板２０１
　　
「【００３７】
　ユーザが移動読取用ガラス８０上に１枚の原稿又は書籍を載置して、それらの表面（移動読取用ガラス８０と対向する面）の画像読取を行おうとする場合、すなわち、ＡＤＦ１１の自動原稿搬送機能を使用しない場合、本体部側読取部２５は、移動読取用ガラス８０の左端縁の下方から右端縁の下方に移動しつつ、上記原稿又は書籍の表面に形成された画像を読み取る。そして、
本体部側読取部２５の出力信号
本体部側読取部２５と制御基板２０１とを電気的に接続する本体部側フレキシブルフラットケーブル７Ｂ
を介して、制御基板２０１に伝達される
　　
「【００３９】
　また、ＡＤＦ１１は、原稿トレイ１２に載置される複数枚のシート９を１枚ずつ取り出して搬送経路１６に沿って自動的に搬送し、排出トレイ１４へ排出する搬送手段４２と、搬送経路１６の途中でシート９の第１面９Ａの画像を読み取る読取部２４とを備える（シート９が原稿トレイ１２に載置された状態において、下方を向く面を第１面９Ａとし、第１面９Ａとは反対側の面を第２面９Ｂとする。）。」
　　
「【００４９】
　分離ローラ５４は、本体フレーム３０に前端及び後端が回転可能に支持された第１回転軸５６の中央に設けられている。第１回転軸５６は、
電動モータや多数のギヤからなる駆動源９９
　　
「【００５３】
３．１．２．搬送ユニット
　搬送ユニット６０は、供給ユニット５０により原稿トレイ１２から１枚ずつ取り出されるシートを第１搬送路２６、湾曲搬送路２７及び第２搬送路２８に沿って搬送するものである。搬送ユニット６０は、分離ローラ５４より左側（第１搬送路２６の途中において分離ローラ５４よりも搬送方向下流側）に設けられた搬送ローラ６１と、搬送ローラ６１に対向するピンチローラ６５とを有している。また、搬送ユニット６０は、湾曲搬送路２７に設けられた主ローラ６４と、主ローラ６４に対向するピンチローラ６２、６３とを有している。
　【００５４】
　搬送ローラ６１は、本体フレーム３０に自己の前端及び後端が回転可能に支持された第２回転軸６６の中央に設けられている。第２回転軸６６は、第１回転軸５６と同様に、
駆動源９９
　【００５５】
　そして、分離ローラ５４により搬送されるシートは、搬送ローラ６１及びピンチローラ６５によりニップされる。そして、搬送ローラ６１は、搬送されるシートの第２面９Ｂに当接しつつ回転することにより、シートに搬送力を付与する。つまり、搬送ローラ６１及びピンチローラ６５も第１搬送路２６を構成している。
　【００５６】
　主ローラ６４は、本体フレーム３０に自己の前端及び後端が回転可能に支持された第３回転軸６７に設けられている。第３回転軸６７は、第１、２回転軸５６、６６と同様に、駆動源９９に駆動されて所定の回転方向（図８において反時計まわり）に回転する。それに伴って、主ローラ６４も第３回転軸６７と一体回転する。
　【００５７】
　搬送ローラ６１により搬送されるシートは、後述する読取部２４の上方を通過した後、主ローラ６４及びピンチローラ６２によりニップされ、さらに、シートの搬送方向下流側で、主ローラ６４及びピンチローラ６３によりニップされる。そして、主ローラ６４は、シートの第１面９Ａに当接しつつ回転することにより、シートに搬送力を付与して、第２搬送路２８の下流側に送り出す。つまり、主ローラ６４、ピンチローラ６２及びピンチローラ６３は、本体フレーム３０の左端側内壁面及び上部カバー３２の各補強リブ１９１、１９２の左端部と協働して、湾曲搬送路２７を構成している。」
　　
「【００５９】
３．２．読取部
　読取部２４は、上述の本体部側読取部２５と同様に、密着側イメージセンサが採用される。読取部２４は、搬送ローラ６１よりもシート搬送方向下流側であって、第１搬送路２６の下方において、その読取面が第１搬送路２６に面するように配置される。すなわち、
読取部２４は、第１搬送路２６の途中において、搬送ローラ６１よりも下流側、かつ、主ローラ６４よりも上流側に配設されており、第１搬送路２６を搬送されるシートの第１面９Ａが読取部２４の上面側を通過するようになっている
　【００６０】
　読取部２４の上方には、白部材７６が設けられている。白部材７６は、コイルバネにより、読取部２４側へ弾性的に付勢されている。搬送ローラ６１から搬送されるシートは、白部材７６により、読取部２４側に押し付けられながら、読取部２４の上面側を通過する。これにより、読取部２４は、シートの第１面９Ａに形成された画像を読み取る。つまり、白部材７６と読取部２４の上面（イメージセンサの上方を覆うガラス部材）も第１搬送路２６を構成している。そして、
読取部２４の出力信号
フレキシブルフラットケーブル７Ａ
を介して、制御基板２０１に伝達される
　　
「【００６３】
３．４．ＡＤＦの自動原稿読み取り動作
　図８に示すように、ユーザが１枚又は複数枚のシート９を原稿トレイ１２上に載置し、シートの先端部を供給ユニット５０に挿入する。そして、ユーザが操作パネル３を操作して、ＡＤＦ１１による自動原稿読み取り処理の開始を入力すると、制御基板２０１は、ＡＤＦ１１内の搬送手段４２、及び
読取部２４
自動原稿読み取り
搬送経路１６に沿って搬送される
第１搬送路２６
第１面９Ａに形成された画像が読取部２４により読み取られる
シートの第２面９Ｂに形成された画像が本体部側読取部２５によって読み取られる
　【００６４】
４．フレキシブルフラットケーブル及び本体部側フレキシブルフラットケーブル
　図２、図３及び図７に示すように、複合機１０は、ＡＤＦ１１側の読取部２４と、本体部２０側の制御基板２０１とを電気的に接続し、
読取部２４の出力信号を制御基板２０１に伝達するフレキシブルフラットケーブル７Ａと、本体部２０において、本体部側読取部２５と制御基板２０１とを電気的に接続し、本体部側読取部２５の出力信号を制御基板２０１に伝達する本体部側フレキシブルフラットケーブル７Ｂとを備えている
　　
「【００７７】
　なお、ガイド部３００は、本体部２０と別部品であり、図１４に二点鎖線で図示するように、予めリブ３０１にフレキシブルフラットケーブル７Ａが両面テープ３０１Ｂにより固定された状態で、ＡＤＦ１１と一体化される。この際、ガイド部３００は、回動軸Ｒ１方向から見た場合、リブ３０１及び間隔保持部３０２を挟んで側壁部３０８と反対側の側面が開放されているので、その開放された側面からガイド部３００内にフレキシブルフラットケーブル７Ａを容易に挿入できる。このため、フレキシブルフラットケーブル７Ａを間隔保持部３０２及びリブ３０１に沿って配線し、リブ３０１の前面に両面テープ３０１Ｂで固定する作業を容易に行える。そして、ＡＤＦ１１を本体部２０に取り付ける際、ヒンジ部４９Ｒ、４９Ｌの下方の柱状部分（図６参照）を各ガイド穴２０Ａに挿入しながら、フレキシブルフラットケーブル７Ａの下端側を開口部２０Ｃを介してケーブル収容部２０Ｄに通し、次に、ガイド部３００をＡＤＦ１１の開放側（前側）から開口部２０Ｃに向けて挿入し、嵌め込む。こうして、ガイド部３００を開口部２０Ｃに容易に組み付けることができ、組み付け作業の簡素化を実現できる。また、フレキシブルフラットケーブル７Ａを交換する必要がある場合、ガイド部３００を開口部２０Ｃから取り外すことで、容易にフレキシブルフラットケーブル７Ａの交換を行なうことができる。」
　　
「【００８３】
　そして、図１５に示すように、フレキシブルフラットケーブル７Ａは、第１のフェライトコア１２１に挿通される。第１のフェライトコア１２１は、フレキシブルフラットケーブル７Ａにより伝達される電気信号に含まれるノイズを減衰させるためのものである。その後、フレキシブルフラットケーブル７Ａは、制御基板２０１の上方まで延びた後、下方に向きを変える。制御基板２０１の左側を向く面の上方には、フレキシブルフラットケーブル用の扁平な第１のコネクタ１３１が配設されている。
フレキシブルフラットケーブル７Ａは、この第１のコネクタ１３１に対して上方から差し込まれることにより電気的に接続される
　　
「【００８８】
　その後、
本体部側フレキシブルフラットケーブル７Ｂは
第２のコネクタ１３２に対して横方向から差し込まれることにより電気的に接続される
本体部側フレキシブルフラットケーブル７Ｂを第２のコネクタ１３２に差し込む方向としては、横方向だけでなく、例えば、下から上に向けて差し込むようにしてもよい
　　
「【００９９】
　また、この複合機（画像読取装置）１０では、ガイド部３００のリブ３０１により、フレキシブルフラットケーブル７Ａの途中に略Ｕ字状の撓み部分７００が保持される。このため、本体部２０に対するＡＤＦ１１の回動又は昇降に伴って、フレキシブルフラットケーブル７Ａが引っ張られる場合でも、略Ｕ字状の撓み部分７００がフレキシブルフラットケーブル７Ａの引き回し経路の変化を吸収し、フレキシブルフラットケーブル７Ａに過度の引っ張り力が作用することを防止できる。また。フレキシブルフラットケーブル７Ａに過度の捩れや屈曲が生じ難くなる。これにより、フレキシブルフラットケーブル７ＡがＡＤＦ１１の回動又は昇降に良好に追従できる。その結果、フレキシブルフラットケーブル７Ａの断線や、フレキシブルフラットケーブル７Ａにより伝達される信号にノイズが発生する不具合が生じ難くなり、その結果、読取部２４により読み取った原稿の画像データに乱れが生じることを抑制できる。」
　　
「【図２】
」
　　
「【図８】
」
　　
　甲２には、「画像読取装置」（段落【０００１】）が記載され、「画像読取装置」は、「読取部」（段落【００５９】）、「本体部側読取部」（段落【００３５】）、「駆動源」（段落【００４９】）、「制御基板」（段落【００３７】、【００６０】）を備えている。
　「読取部」は、「搬送路を搬送方向に搬送されるシートの画像を読み取るように構成され」（段落【００６３】）、「本体部側読取部」は、「搬送路に対して読取部と反対側に配置され、前記搬送路を前記搬送方向に搬送される前記シートの画像を読み取るように構成され」ている（段落【００６３】、図８）。
　「駆動源」は、読取部および本体部側読取部に対して搬送方向と直交する幅方向の一方側に配置され（図２）、シートを搬送するための駆動力を発生するものである（段落【００５４】〜【００５５】）。
　「制御基板」は、読取部に対して本体部側読取部側に配置され（図２）、第１のコネクタ、第２のコネクタを有する（段落【００８３】、【００８８】）。
　「制御基板」と「読取部」は「フレキシブルフラットケーブル７Ａ」を介し接続され、「制御基板」と「本体部側読取部」は「フレキシブルフラットケーブル７Ｂ」を介し接続されている（段落【００６４】、図２）。フレキシブルフラットケーブル７Ａと制御基板とは第１のコネクタで接続され（段落【００８３】）、フレキシブルフラットケーブル７Ｂと制御基板とは第２のコネクタで接続される（段落【００８８】）。
　フレキシブルフラットケーブル７Ａと読取部とは接続点があり（図２）、当該接続点は第１接続点といい得、フレキシブルフラットケーブル７Ｂと本体部側読取部とは接続点が有り（図２），当該接続点は第２接続点といい得る。
　フレキシブルフラットケーブル７Ａは、読取部を駆動源側に迂回しているといえる（図２）。
　　
　以上より、甲２には次の発明（以下「甲２発明」という。）が記載されていると認められる。
　　
（甲２発明）
（２ａ）第１接続点を有し、搬送路を搬送方向に搬送されるシートの画像を読み取るように構成された読取部と、
（２ｂ）前記搬送路に対して前記読取部と反対側に配置され、第２接続点を有し、前記搬送路を前記搬送方向に搬送される前記シートの画像を読み取るように構成された本体部側読取部と、
（２ｃ）前記読取部よび前記本体部側読取部に対して前記搬送方向と直交する幅方向の一方側に配置され、前記シートを搬送するための駆動力を発生する駆動源と、　　
（２ｄ）前記読取部に対して前記本体部側読取部側に配置され、第１のコネクタおよび第２のコネクタを有する制御基板と、
（２ｅ）前記第１接続点に一端が接続され、前記第１のコネクタに他端が接続されたフレキシブルフラットケーブル７Ａと、
（２ｆ）前記第２接続点に一端が接続され、前記第２のコネクタに他端が接続されたフレキシブルフラットケーブル７Ｂとを備え、
（２ｇ）フレキシブルフラットケーブル７Ａは、読取部を駆動源側に迂回する
（２ｈ）画像読取装置。
　　
　なお、（２ａ）〜（２ｈ）は、構成を識別するために付与した。以下各構成を「構成２ａ」等という。
　　
（３）周知技術
ア　甲第３号証
　甲第３号証（特開２０１１−７７８４０号公報。以下「甲３」という。）には、「シート処理装置、及び、画像読取装置」（発明の名称）に関し、図面と共に次に掲げる事項が記載されている（下線は当審が付与した。）。
　　
「【００５５】
　図６は、実施例３の画像読取装置の読取ユニット７及び下部読取ユニット８付近を図１の表面から見た状態を示す概略断面図であり、図５と同一のものには同一の符号を付してある。
　【００５６】
　図６に示すように、実施例２では、上部ケーブル配置スペース１７ａに、上部読取ユニット７の副走査方向にフラットケーブル１１ａを配置し、一箇所の折り返し部を設けた構成である。２２ａは、フラットケーブル１１ａを上部読取ユニット嵌込部１５の側面に形成した孔形状部で、フラットケーブル１１ａの折り返し部を格納する。
　【００５７】
　同様に、下部ケーブル配置スペース１７ｂにも、下部読取ユニット８の副走査方向にフラットケーブル１１ｂを配置し、一箇所の折り返し部を設けた構成である。２２ｂは、フラットケーブル１１ｂを下部読取ユニット嵌込部１６の側面に形成した孔形状部で、フラットケーブル１１ｂの折り返し部を格納する。」
　　
「【００６１】
　また、これまで示した図中にあるように、上部読取ユニット７、下部読取ユニット８とフラットケーブル１１ａ、１１ｂとを接続する
コネクタ部
１９ｂ
　　
「【図６】
」
　　
イ　甲第４号証
　甲第４号証（特開２００７−１５０５４１号公報。以下「甲４」という。）には、「画像読取装置およびその製造方法」（発明の名称）に関し、図面と共に次に掲げる事項が記載されている（下線は当審が付与した。）。
　　
「　【００１８】
　次に、本発明に係る画像読取装置の実施形態を、図面を参照しつつ説明する。
　図１は、本発明の画像読取装置１０が組み込まれた複合機１の外観図であり、図２はその断面図である。複合機１は例えば、ＦＡＸ機能、スキャナ機能、コピー機能を備えた装置として構成される。複合機１は、ＡＤＦ（オートドキュメントフィーダ）原稿セットトレイ３、原稿ガイド５、紙送りローラ７、ＡＤＦ原稿排紙トレイ９、コンタクトガラス１１と、フレーム４９に収められた密着型イメージセンサ２１からなるＡＤＦ読み取り機構を備えている。また、これに加えて、ＦＢ（フラットベッド）押さえ板１７とガラス製のＦＢ原稿台１９と、前述の密着型イメージセンサ２１を含むＦＢ読み取り機構をも備えている。
　【００１９】
　ＡＤＦ読み取り機構によって画像を読み取る場合は、図２Ａに示すように、ＡＤＦ原稿セットトレイ３上に原稿Ａをセットして読み取り開始を指令することにより、紙送りローラ７が回転して原稿Ａをコンタクトガラス１１上を通過させる。すると、コンタクトガラス１１の直下にある密着型イメージセンサ２１が、コンタクトガラス１１を介して原稿Ａの画像を読み取る。これに対し、ＦＢ読み取り機構によって画像を読み取る場合は、図２Ｂに示すように、ＦＢ原稿台１９の上に原稿Ｂを置き、ＦＢ押さえ板１７で原稿ＢをＦＢ原稿台１９に押し当てた状態として読み取り開始を指令することにより、密着型イメージセンサ２１が図示矢印のように移動しつつ、原稿Ｂの画像の読み取りを実行する。
　【００２０】
　図４示すように、密着型イメージセンサ２１は、受光素子２０が直線状に形成されたセンサＩＣチップ２を基板１４上に複数個配置した構造となっている。受光素子２０は、主走査方向（図２の紙面と直行する方向）に一定間隔を隔てて列状に配置されている。そして、密着型イメージセンサ２１はフレーム４９（図５、６）に保持されている。また、図６に示すようにフレーム４９の内部にはＬＥＤ等からなる光源１５と、導光部４６と、レンズアレイ４７と、カバーガラス４８が設けられている。光源１５は赤、緑、青の光をそれぞれ発する発光素子１５Ｒ，１５Ｇ，１５Ｂからなり、白色光を取り出せるようになっている。光源１５から放射した光は導光部４６、カバーガラス４８、ＦＢ原稿台１９を通り、原稿Ａを照射する。原稿Ａによって反射した光はＦＢ原稿台１９、カバーガラス４８、レンズアレイ４７を通り受光素子２０に到る。受光素子２０は光電変換をすることで、受光した光を画像信号として出力する。その画像信号は
コネクタ１８
　　
「【図２】
」
　　
ウ　周知技術
　甲３の図６、甲４の図２に開示されているように、「読取部のコネクタを搬送方向の下流側からケーブルが接続するように構成すること」は、周知技術であると認められる。
　　
（４）甲５号証
  甲第５号証（特開平８−２９３９３７号公報。以下「甲５」という。）には、「ファクシミリ装置」（発明の名称）に関し、図面と共に次に掲げる事項が記載されている（下線は当審が付与した。）。
　　
「【０００１】
【産業上の利用分野】本発明は、ファクシミリ装置に関し、特に、ワイヤハーネスの配置構造に特徴づけられたファクシミリ装置に関するものである。」
　　
「【００１９】原稿読み取り機構１２は、本体上カバー１１ａの上部に形成された原稿台２０にセットされた原稿を分離ローラ２１によって一枚ずつ内部に引き込み、これを送りローラ２２，２２によってさらに送る間に、原稿下面の画像が１ラインずつ読み取られる。読み取りを終えた原稿は、排紙ローラ２３，２３によって排出される。上記送りローラ２２と排紙ローラ２３との間には、透明な原稿支持板２４が設けられており、ＬＥＤアレイなどの光源２５から発せられた光の原稿下面からの反射光が複数枚のミラー２６，２７，２８およびレンズ２９を介してＣＣＤ等の読み取り素子３０に集光させられる。分離ローラ２１、送りローラ２２、排紙ローラ２３は、ステップモータ３１を駆動源として、図示しないギヤトレインやベルト伝動機構を介して制御・駆動される。原稿台２０の先端部には、図示しない原稿有無センサが設けられ、原稿搬送経路途中には、図示しない原稿先端位置検知センサが設けられている。
【００２０】この
原稿読み取り機構
ケーブル
ケーブル
ケーブル
ケーブル
制御部まで配線する
【００２１】操作パネル１９には、テンキーやファンクションキー、短縮ダイヤルキーのほか、コピーモード選択キー、ストップキー、スタートキーなどの操作キーや、各種の表示を行うＬＣＤなどで構成されるディスプレイなどが設けられている。
【００２２】この
操作パネル
ケーブル
ケーブル
上記制御部との間に配線される
　　
「【００２９】さて、前述したように、上記制御部１７ａと装置各部との間には、種々のケーブルが配線される。とくに、上記制御部１７ａは装置後方部に配置される一方、上記原稿読み取り機構１７、操作パネル１９および動力駆動源としてのステップモータ３１は装置前方部に配置されており、これらと制御部１７ａとの間の距離は比較的長い。本実施例では、上記
原稿読み取り機構１２に関するケーブル
操作パネル１９に関するケーブル
【００３０】すなわち、
図２および図５に示すように
前後方向に延びる下開放状のハーネス保持溝５５を形成し、上記各ケーブルをまとめて構成したハーネス５６の中間部を、このハーネス保持溝５５に収容保持させた上で、ハーネスを構成する各ケーブルの一端部に取付けたコネクタ５７を上記制御基板１７に接続するとともに、各ケーブルの他端部に取付けたコネクタ５８を、上記原稿読み取り機構１２、操作パネル１９およびステップモータ３１にそれぞれ接続する
　　
「【図２】
」
　　
「【図５】
」
　　
　以上より、甲５には、「操作パネルや原稿読み取り機構のケーブルを、装置の一側部を経由して制御部へ配策する技術」が記載されている。
　　
（５）甲第６号証
  甲第６号証（特開２００８−２５６８８９号公報。以下「甲６」という。）には、「駆動装置、給送装置及び画像形成装置」（発明の名称）に関し、図面と共に次に掲げる事項が記載されている（下線は当審が付与した。）。
　　
「【０００１】
　本発明は、記録シートに電子写真方式で画像を形成する画像形成装置、これに用いられる駆動装置、給送装置に関するものである。
【背景技術】
【０００２】
　従来、電子写真方式で画像を形成する画像形成装置は、シート収納手段から記録シートを１枚ずつに分離搬送するシート分離搬送手段を有している。シート分離搬送手段はモータによって駆動されている。
【０００３】
　モータは動作時に電磁放射ノイズや動作音を発生する。電磁放射ノイズは、電波障害を引き起こしたり、他の電子機器を誤動作させたりする危険性を有している。動作音は、人にとって騒音となり不快感を与えたりする。
【０００４】
　このため、電磁放射ノイズや動作音を装置外に出さないような対策がとられる。例えば、
電磁放射ノイズ対策としては、金属板で電磁放射ノイズの発生源であるモータを覆う対策がとられている
　　
「【００６３】
　
モータカバー１１５４は、ステッピングモータ１１５１を覆い、ステッピングモータ１１５１が回転時に発生する電磁放射ノイズや回転音を遮蔽するカバー部材である
　　
　以上より、甲６には、「モータからのノイズを遮蔽するためにカバー部材を設ける技術」が記載されている。
　　
（６）甲第７号証
  甲第７号証（特開２０１１−２５４２１３号公報。以下「甲７」という。）には、「画像読取装置及びそれを備えた画像形成装置」（発明の名称）に関し、図面と共に次に掲げる事項が記載されている（下線は当審が付与した。）。
　　
「【００７４】
　
原稿移動読取構成では
自動原稿送り装置３００で原稿読取ガラス（第１の透明板の一例）２０６上を通過するように副走査方向（図中矢印Ｙ方向）の一方側Ｙ１（搬送方向Ｙ３）に搬送される原稿Ｇに対して
両面読み取りでは第２読取ユニット２２０及び読取位置（ここでは初期位置）に位置する第１読取ユニット２１０にて原稿読取ガラス２０６を介して主走査方向（図中矢印Ｘ方向）に走査してＣＣＤ（Charge Coupled Device）等の縮小型光電変換素子（ここではＣＣＤ２０５）で原稿画像を読み取る
　　
「【０１０２】
　なお、上流側搬送ローラ対３０４ａ，３０４ｂ、下流側搬送ローラ対３０５ａ，３０５ｂ、排出ローラ対３１０等の搬送系ローラは、図示しない搬送系の
駆動部
　　
「【０１０５】
　画像読取装置１００は、さらに、
原稿移動読取モードにおいて、第２読取ユニット２２０で一方の面（表面）を読み取り可能とされている
【０１０６】
　詳しくは、画像読取装置１００は、前記の構成に加えて、第２読取ユニット２２０を備えている。第２読取ユニット２２０は、読取位置が第１読取ユニット２１０の読取位置よりも搬送方向Ｙ３の上流側に位置しており、自動原稿送り装置３００内に固定されて支持されている。第２読取ユニット２２０は、第１読取ユニット２１０と同じ構成のベースユニット４００を有しており、同じ構成要素には同一符号を付し、その説明を省略する。」
　　
「【０１１２】
　なお、原稿Ｇの一方の面と他方の面との両面を読み取る場合には、第２読取ユニット２２０と共に読取位置に静止させた第１読取ユニット２１０を用いるが、この読み取り動作については前述した第２読取ユニット２２０と同様であり、ここでは説明を省略する。」
　　
「【図３】
」
　　
　段落【００７４】によると、甲７に記載された「画像読取装置」は、
「原稿が搬送される搬送路の上側に配置され、前記搬送路を搬送される方向に搬送される原稿の一方の面を読み取る第２読取ユニット」、「前記搬送路の下側に配置され、前記搬送路を搬送される方向に搬送される原稿の他方の面を読み取る第１読取ユニット」を備えている。
　また、段落【０１０２】によると、甲７に記載された「画像読取装置」は、「原稿を搬送するための駆動部」を備えている。
　　
　以上より、甲７には、
「原稿が搬送される搬送路の上側に配置され、前記搬送路を搬送される方向に搬送される原稿の一方の面を読み取る第２読取ユニットと、
　前記搬送路の下側に配置され、前記搬送路を搬送される方向に搬送される原稿の他方の面を読み取る第１読取ユニットと、　
　原稿を搬送するための駆動部とを備えた画像読取装置」
が記載されている。
　　
４　判断
（１）取消理由通知に記載した取消理由について
ア　特許法第２９条第２項について
（ア）本件発明１
ａ　甲１発明に基づく容易想到性
（ａ）本件発明１、甲１発明
　本件発明１と甲１発明とを対比するにあたり、本件発明１と甲１発明とを再掲する。
　　
（本件発明１）
（１Ａ）第１コネクタを有し、搬送路を搬送方向に搬送されるシートの画像を読み取るように構成された第１読取部と、
（１Ｂ）前記搬送路に対して前記第１読取部と反対側に配置され、第２コネクタを有し、前記搬送路を前記搬送方向に搬送される前記シートの画像を読み取るように構成された第２読取部と、
（１Ｃ）前記第１読取部および前記第２読取部に対して前記搬送方向と直交する幅方向の一方側に配置され、前記シートを搬送するための駆動力を発生する駆動源と、
（１Ｄ）前記第１読取部に対して前記第２読取部側に配置され、第３コネクタおよび第４コネクタを有する基板と、
（１Ｅ）前記第１コネクタに一端が接続され、前記第３コネクタに他端が接続された第１ケーブルと、
（１Ｆ）前記第２コネクタに一端が接続され、前記第４コネクタに他端が接続された第２ケーブルとを備え、
（１Ｇ）前記第１コネクタは、前記第１読取部に対して前記第２読取部と反対側に配置され、
（１Ｈ）前記第１ケーブルは、面および厚みを有するフレキシブルフラットケーブルであり、前記第１コネクタと前記第３コネクタとの間で、前記第１コネクタから前記第１読取部を前記駆動源側に越える位置まで、前記面を前記第１読取部に向けて延び、前記第１読取部を前記駆動源側に越えて、前記駆動源に対して前記搬送方向および前記幅方向の両方向と直交する直交方向における前記第２読取部に対する前記第１読取部側から対向する位置で前記第２読取部側に屈曲し、前記駆動源に対して前記搬送方向の下流側から対向する位置において、前記第２読取部を前記直交方向における前記第１読取部側と反対側に越える位置まで、前記面を前記駆動源に向けて延びている、
（１Ｉ）画像読取装置。
　　
（甲１発明）
（１ａ）第１接続点を有し、搬送路を搬送方向に搬送されるシートの画像を読み取るように構成された第二イメージセンサと、
（１ｂ）前記搬送路に対して前記第二イメージセンサと反対側に配置され、第２接続点を有し、前記搬送路を前記搬送方向に搬送される前記シートの画像を読み取るように構成された第一イメージセンサと、
（１ｃ）前記第一イメージセンサよび前記第二イメージセンサに対して前記搬送方向と直交する幅方向の一方側に配置され、前記シートを搬送するための駆動力を発生するＡＤＦ駆動モータと、　　
（１ｄ）前記第二イメージセンサに対して前記第一イメージセンサ側に配置され、第３接続点および第４接続点を有する制御基板と、
（１ｅ）前記第１接続点に一端が接続され、前記第３接続点に他端が接続された第二フレキシブルフラットケーブルと、
（１ｆ）前記第２接続点に一端が接続され、前記第４接続点に他端が接続された第一フレキシブルフラットケーブルとを備え、
（１ｇ）第二フレキシブルフラットケーブルは、第二イメージセンサをＡＤＦ駆動モータ側に迂回する
（１ｈ）画像読取装置。
　　
（ｂ）対比
　本件発明１と甲１発明とを対比する。
　　
　構成要件１Ａ〜１Ｆと構成１ａ〜１ｆとを対比する。
　甲１発明の「第二イメージセンサ」、「第一イメージセンサ」、「ＡＤＦ駆動モータ」、「制御基板」、「第二フレキシブルフラットケーブル」、「第一フレキシブルフラットケーブル」は、それぞれ、本件発明１の「第１読取部」、「第２読取部」、「駆動源」、「基板」、「第１ケーブル」、「第２ケーブル」に相当する。
　甲１発明の「第１接続点」、「第２接続点」、「第３接続点」、「第４接続点」は、それぞれ、本件発明１の「第１コネクタ」、「第２コネクタ」、「第３コネクタ」、「第４コネクタ」に対応するものの、甲１発明の「接続点」が「コネクタ」ではない点で、本件発明１と相違する。
　　
　構成要件１Ｇは、「前記第１コネクタは、前記第１読取部に対して前記第２読取部と反対側に配置され」であるが、甲１発明においては、「第１コネクタ」がないから、「第１コネクタ」の配置が特定されていない点で相違する。
　　
　構成要件１Ｈと構成１ｇとを対比する。
　甲１発明の「第二フレキシブルフラットケーブル」は、上記のとおり、本件発明１の「第１ケーブル」に相当するから、本件発明１と甲１発明とは、「前記第１ケーブルは、面および厚みを有するフレキシブルフラットケーブルであ」る点で一致する。
　しかしながら、「前記第１ケーブル」が、本件発明１においては、「前記第１コネクタと前記第３コネクタとの間で、前記第１コネクタから前記第１読取部を前記駆動源側に越える位置まで、前記面を前記第１読取部に向けて延び、前記第１読取部を前記駆動源側に越えて、前記駆動源に対して前記搬送方向および前記幅方向の両方向と直交する直交方向における前記第２読取部に対する前記第１読取部側から対向する位置で前記第２読取部側に屈曲し、前記駆動源に対して前記搬送方向の下流側から対向する位置において、前記第２読取部を前記直交方向における前記第１読取部側と反対側に越える位置まで、前記面を前記駆動源に向けて延びている」のに対し、甲１発明においては、そのような構成になっていない点で相違する。
　　
　構成要件１Ｉと構成１ｈとを対比すると、「画像読取装置」として一致する。
　　
（ｃ）一致点、相違点
　以上より、一致点、相違点は次のとおりである。
　　
（一致点）
　第１接続点を有し、搬送路を搬送方向に搬送されるシートの画像を読み取るように構成された第１読取部と、
　前記搬送路に対して前記第１読取部と反対側に配置され、第２接続点を有し、前記搬送路を前記搬送方向に搬送される前記シートの画像を読み取るように構成された第２読取部と、
　前記第１読取部および前記第２読取部に対して前記搬送方向と直交する幅方向の一方側に配置され、前記シートを搬送するための駆動力を発生する駆動源と、
　前記第１読取部に対して前記第２読取部側に配置され、第３接続点および第４接続点を有する基板と、
　前記第１接続点に一端が接続され、前記第３接続点に他端が接続された第１ケーブルと、
　前記第２接続点に一端が接続され、前記第４接続点に他端が接続された第２ケーブルとを備え、
　前記第１ケーブルは、面および厚みを有するフレキシブルフラットケーブルである、
　画像読取装置。
　　
（相違点１）
　「第１接続点」、「第２接続点」、「第３接続点」、「第４接続点」が、
　本件発明１においては、「第１コネクタ」、「第２コネクタ」、「第３コネクタ」、「第４コネクタ」であるのに対し、
　甲１発明においては、「第１コネクタ」、「第２コネクタ」、「第３コネクタ」、「第４コネクタ」ではない点
　　
（相違点２）
　本件発明１においては、「前記第１コネクタは、前記第１読取部に対して前記第２読取部と反対側に配置され」るのに対し、
　甲１発明においては、「第１コネクタ」がないから、「前記第１コネクタは、前記第１読取部に対して前記第２読取部と反対側に配置され」るものではない点
　　
（相違点３）
　「第１ケーブル」が、
　本件発明１においては、
「前記第１コネクタと前記第３コネクタとの間で、前記第１コネクタから前記第１読取部を前記駆動源側に越える位置まで、前記面を前記第１読取部に向けて延び、前記第１読取部を前記駆動源側に越えて、前記駆動源に対して前記搬送方向および前記幅方向の両方向と直交する直交方向における前記第２読取部に対する前記第１読取部側から対向する位置で前記第２読取部側に屈曲し、前記駆動源に対して前記搬送方向の下流側から対向する位置において、前記第２読取部を前記直交方向における前記第１読取部側と反対側に越える位置まで、前記面を前記駆動源に向けて延びている」のに対し、
　甲１発明においては、そのような構成になっていない点
　　
（ｄ）判断
　相違点３について検討する。
　甲１をみても、甲１発明において、「第１ケーブル」に相当する「第二フレキシブルフラットケーブル」を「前記第１コネクタと前記第３コネクタとの間で、前記第１コネクタから前記第１読取部を前記駆動源側に越える位置まで、前記面を前記第１読取部に向けて延び、前記第１読取部を前記駆動源側に越えて、前記駆動源に対して前記搬送方向および前記幅方向の両方向と直交する直交方向における前記第２読取部に対する前記第１読取部側から対向する位置で前記第２読取部側に屈曲し、前記駆動源に対して前記搬送方向の下流側から対向する位置において、前記第２読取部を前記直交方向における前記第１読取部側と反対側に越える位置まで、前記面を前記駆動源に向けて延びている」ようにする理由はない。
　また、甲２〜甲７をみても、甲１発明において、「第１ケーブル」に相当する「第二フレキシブルフラットケーブル」を、相違点３に係る構成にする理由はない。
　したがって、本件発明１は、当業者が、甲１発明及び甲２〜甲７に記載された技術に基づいて容易になし得るものではない。
　　
ｂ　甲２発明に基づく容易想到性
（ａ）本件発明１、甲２発明
　本件発明１と甲２発明とを対比するにあたり、本件発明１と甲２発明とを再掲する。
　　
（本件発明１）
（１Ａ）第１コネクタを有し、搬送路を搬送方向に搬送されるシートの画像を読み取るように構成された第１読取部と、
（１Ｂ）前記搬送路に対して前記第１読取部と反対側に配置され、第２コネクタを有し、前記搬送路を前記搬送方向に搬送される前記シートの画像を読み取るように構成された第２読取部と、
（１Ｃ）前記第１読取部および前記第２読取部に対して前記搬送方向と直交する幅方向の一方側に配置され、前記シートを搬送するための駆動力を発生する駆動源と、
（１Ｄ）前記第１読取部に対して前記第２読取部側に配置され、第３コネクタおよび第４コネクタを有する基板と、
（１Ｅ）前記第１コネクタに一端が接続され、前記第３コネクタに他端が接続された第１ケーブルと、
（１Ｆ）前記第２コネクタに一端が接続され、前記第４コネクタに他端が接続された第２ケーブルとを備え、
（１Ｇ）前記第１コネクタは、前記第１読取部に対して前記第２読取部と反対側に配置され、
（１Ｈ）前記第１ケーブルは、面および厚みを有するフレキシブルフラットケーブルであり、前記第１コネクタと前記第３コネクタとの間で、前記第１コネクタから前記第１読取部を前記駆動源側に越える位置まで、前記面を前記第１読取部に向けて延び、前記第１読取部を前記駆動源側に越えて、前記駆動源に対して前記搬送方向および前記幅方向の両方向と直交する直交方向における前記第２読取部に対する前記第１読取部側から対向する位置で前記第２読取部側に屈曲し、前記駆動源に対して前記搬送方向の下流側から対向する位置において、前記第２読取部を前記直交方向における前記第１読取部側と反対側に越える位置まで、前記面を前記駆動源に向けて延びている、
（１Ｉ）画像読取装置。
　　
（甲２発明）
（２ａ）第１接続点を有し、搬送路を搬送方向に搬送されるシートの画像を読み取るように構成された読取部と、
（２ｂ）前記搬送路に対して前記読取部と反対側に配置され、第２接続点を有し、前記搬送路を前記搬送方向に搬送される前記シートの画像を読み取るように構成された本体部側読取部と、
（２ｃ）前記読取部よび前記本体部側読取部に対して前記搬送方向と直交する幅方向の一方側に配置され、前記シートを搬送するための駆動力を発生する駆動源と、
（２ｄ）前記読取部に対して前記本体部側読取部側に配置され、第１のコネクタおよび第２のコネクタを有する制御基板と、
（２ｅ）前記第１接続点に一端が接続され、前記第１のコネクタに他端が接続されたフレキシブルフラットケーブル７Ａと、
（２ｆ）前記第２接続点に一端が接続され、前記第２のコネクタに他端が接続されたフレキシブルフラットケーブル７Ｂとを備え、
（２ｇ）フレキシブルフラットケーブル７Ａは、読取部を駆動源側に迂回する
（２ｈ）画像読取装置。
　　
（ｂ）対比
　本件発明１と甲２発明とを対比する。
　　
　構成要件１Ａ〜１Ｆと構成２ａ〜２ｆとを対比する。
　甲２発明の「読取部」、「本体部側読取部」、「駆動源」、「制御基板」、「フレキシブルフラットケーブル７Ａ」、「フレキシブルフラットケーブル７Ｂ」、「第１のコネクタ」、「第２のコネクタ」は、それぞれ、本件特許発明１の「第１読取部」、「第２読取部」、「駆動源」、「基板」、「第１ケーブル」、「第２ケーブル」、「第３コネクタ」、「第４コネクタ」に相当する。
　甲２発明の「第１接続点」、「第２接続点」は、それぞれ、本件特許発明１の「第１コネクタ」、「第２コネクタ」に対応するものの、甲２発明の「接続点」が「コネクタ」ではない点で、本件発明１と相違する。　
　　
　構成要件１Ｇは、「前記第１コネクタは、前記第１読取部に対して前記第２読取部と反対側に配置され」であるが、甲２発明においては、「第１コネクタ」がないから、「第１コネクタ」の配置が特定されていない点で相違する。
　　
　構成要件１Ｈと構成２ｇとを対比する。
　甲２発明の「フレキシブルフラットケーブル７Ａ」は、上記のとおり、本件発明１の「第１ケーブル」に相当するから、本件発明１と甲２発明とは、「前記第１ケーブルは、面および厚みを有するフレキシブルフラットケーブルであ」る点で一致する。
　しかしながら、「前記第１ケーブル」が、本件発明１においては、「前記第１コネクタと前記第３コネクタとの間で、前記第１コネクタから前記第１読取部を前記駆動源側に越える位置まで、前記面を前記第１読取部に向けて延び、前記第１読取部を前記駆動源側に越えて、前記駆動源に対して前記搬送方向および前記幅方向の両方向と直交する直交方向における前記第２読取部に対する前記第１読取部側から対向する位置で前記第２読取部側に屈曲し、前記駆動源に対して前記搬送方向の下流側から対向する位置において、前記第２読取部を前記直交方向における前記第１読取部側と反対側に越える位置まで、前記面を前記駆動源に向けて延びている」のに対し、甲２発明においては、そのような構成になっていない点で相違する。
　　
　構成要件１Ｉと構成２ｈとを対比すると、「画像読取装置」として一致する。
　　
（ｃ）一致点、相違点
　以上より、一致点、相違点は次のとおりである。
　　
（一致点）
　第１接続点を有し、搬送路を搬送方向に搬送されるシートの画像を読み取るように構成された第１読取部と、
　前記搬送路に対して前記第１読取部と反対側に配置され、第２接続点を有し、前記搬送路を前記搬送方向に搬送される前記シートの画像を読み取るように構成された第２読取部と、
　前記第１読取部および前記第２読取部に対して前記搬送方向と直交する幅方向の一方側に配置され、前記シートを搬送するための駆動力を発生する駆動源と、
　前記第１読取部に対して前記第２読取部側に配置され、第３コネクタおよび第４コネクタを有する基板と、
　前記第１接続点に一端が接続され、前記第３コネクタに他端が接続された第１ケーブルと、
　前記第２接続点に一端が接続され、前記第４コネクタに他端が接続された第２ケーブルとを備え、
　前記第１ケーブルは、面および厚みを有するフレキシブルフラットケーブルである、
　画像読取装置。
　　
（相違点１）
　「第１接続点」、「第２接続点」が、
　本件発明１においては、「第１コネクタ」、「第２コネクタ」であるのに対し、
　甲２発明においては、「第１コネクタ」、「第２コネクタ」ではない点
　　
（相違点２）
　本件発明１においては、「前記第１コネクタは、前記第１読取部に対して前記第２読取部と反対側に配置され」るのに対し、
　甲２発明においては、「第１コネクタ」がないから、「前記第１コネクタは、前記第１読取部に対して前記第２読取部と反対側に配置され」るものではない点
　　
（相違点３）
　「第１ケーブル」が、
　本件発明１においては、
「前記第１コネクタと前記第３コネクタとの間で、前記第１コネクタから前記第１読取部を前記駆動源側に越える位置まで、前記面を前記第１読取部に向けて延び、前記第１読取部を前記駆動源側に越えて、前記駆動源に対して前記搬送方向および前記幅方向の両方向と直交する直交方向における前記第２読取部に対する前記第１読取部側から対向する位置で前記第２読取部側に屈曲し、前記駆動源に対して前記搬送方向の下流側から対向する位置において、前記第２読取部を前記直交方向における前記第１読取部側と反対側に越える位置まで、前記面を前記駆動源に向けて延びている」のに対し、
　甲２発明においては、そのような構成になっていない点
　　
（ｄ）判断
　相違点３について検討する。
　甲２をみても、甲２発明において、「第１ケーブル」に相当する「フレキシブルフラットケーブル７Ａ」を「前記第１コネクタと前記第３コネクタとの間で、前記第１コネクタから前記第１読取部を前記駆動源側に越える位置まで、前記面を前記第１読取部に向けて延び、前記第１読取部を前記駆動源側に越えて、前記駆動源に対して前記搬送方向および前記幅方向の両方向と直交する直交方向における前記第２読取部に対する前記第１読取部側から対向する位置で前記第２読取部側に屈曲し、前記駆動源に対して前記搬送方向の下流側から対向する位置において、前記第２読取部を前記直交方向における前記第１読取部側と反対側に越える位置まで、前記面を前記駆動源に向けて延びている」ようにする理由はない。
　また、甲１、甲３〜甲７をみても、甲２発明において、「第１ケーブル」に相当する「フレキシブルフラットケーブル７Ａ」を、相違点３に係る構成にする理由はない。
　したがって、本件発明１は、当業者が、甲２発明及び甲１、甲３〜甲７に記載された技術に基づいて容易になし得るものではない。
　　
（イ）本件発明２〜３
　本件発明２〜３は、請求項１の記載（本件発明１）を直接又は間接的に引用するから、本件発明１と同じ理由により、当業者が、甲１発明及び甲２〜甲７に記載された技術に基づいて容易になし得るものではなく、甲２発明及び甲１、甲３〜甲７に記載された技術に基づいて容易になし得るものではない。
　　
（ウ）本件発明４〜５
　本件発明４〜５は、削除された。
　　
イ　特許法第３６条第４項第１号、第６項第１号、第６項第２号
（ア）本件発明１においては、「第１ケーブル」が、「前記第１コネクタと前記第３コネクタとの間で、前記第１コネクタから前記第１読取部を前記駆動源側に越える位置まで、前記面を前記第１読取部に向けて延び、前記第１読取部を前記駆動源側に越えて、前記駆動源に対して前記搬送方向および前記幅方向の両方向と直交する直交方向における前記第２読取部に対する前記第１読取部側から対向する位置で前記第２読取部側に屈曲し、前記駆動源に対して前記搬送方向の下流側から対向する位置において、前記第２読取部を前記直交方向における前記第１読取部側と反対側に越える位置まで、前記面を前記駆動源に向けて延びている」ことが規定され、明確である。このように構成されることにより、幅方向に小型化が図れることは明らかである。
　また、上記第２の２（１）ア（ウ）のとおり、発明の詳細な説明に記載されており、発明の詳細な説明は、当業者が、本件発明１を実施できる程度に明確かつ十分に記載されている。
　上記２（２）アの本件発明１〜８に対する取消理由及び上記２（２）イ、カの取消理由は解消した。
　　
（イ）本件発明４、５は、削除されたから、上記２（２）ウの取消理由は、理由がない。
　　
（ウ）本件発明６は、
「前記駆動源に対して前記搬送方向の下流側に設けられ、前記搬送方向および前記幅方向の両方向と直交する直交方向に延び、前記幅方向の一方側の端縁が前記第１ケーブルに対して前記幅方向の一方側に位置する壁部を備え、
　前記壁部は、前記駆動源に対して前記直交方向の一方側の位置と前記駆動源に対して前記搬送方向の下流側の位置との間を延びる第１壁部と、前記駆動源に対して前記搬送方向の下流側の位置と前記駆動源に対して前記直交方向の他方側の位置との間を延びる第２壁部とを含み、
　前記第１ケーブルは、前記壁部に対して前記搬送方向の下流側を前記壁部に沿って延びる、請求項１〜３のいずれか一項に記載の画像読取装置。」
であり、第１ケーブル、駆動源、壁部の関係が明確であり、本件発明６は明確である。
　また、上記第２の２（１）エのとおり、発明の詳細な説明に記載されており、発明の詳細な説明は、当業者が、本件発明６を実施できる程度に明確かつ十分に記載されている。
　上記２（２）エの取消理由は解消した。
　　
（エ）本件発明７は、
「前記基板は、第５コネクタを有し、
　前記第２読取部に対して前記第１読取部側に配置され、第６コネクタを有し、各種操作を受け付けるように構成される操作部と、
　前記第５コネクタに一端が接続され、前記第６コネクタに他端が接続された第３ケーブルとを備え、
　前記第６コネクタは、前記第１読取部に対して前記第２読取部と反対側に配置され、
　前記第３ケーブルは、面および厚みを有するフレキシブルフラットケーブルであり、前記第５コネクタと前記第６コネクタとの間で、前記第６コネクタから前記第１読取部を前記駆動源側に越える位置まで、前記面を前記第１読取部に向けて延び、前記第１読取部を前記駆動源側に越えて、前記駆動源に対して前記直交方向における前記読み取り部に対する前記第１読取部側から対向する位置で、前記第２読取部側に屈曲し、前記駆動源に対して前記搬送方向の下流側から対向する位置において、前記第２読取部を前記直交方向における前記第１読取部側と反対側に越える位置まで、前記面を前記駆動源に向けて延びている、請求項１〜３、６のいずれか一項に記載の画像読取装置。」
であって、「第３ケーブル」の「前記第５コネクタと前記第６コネクタとの間」の構成が明確であり、本件発明７は明確である。このように構成されることにより、幅方向に小型化が図れることは明らかである。
　また、上記第２の２（１）オのとおり、発明の詳細な説明に記載されており、発明の詳細な説明は、当業者が、本件発明７を実施できる程度に明確かつ十分に記載されている。
　上記２（２）オ、カの取消理由は解消した。
　　
（オ）本件発明９においては、「第１ケーブル」が、「前記第１コネクタと前記第３コネクタとの間で、前記第１コネクタから前記第１読取部を前記駆動源側に越える位置まで、前記面を前記第１読取部に向けて延び、前記第１読取部を前記駆動源側に越えて、前記駆動源に対して上側から対向する位置で下側に屈曲し、前記駆動源に対して前記搬送方向の下流側から対向する位置において、前記第２読取部を上下方向における下側に越える位置まで、前記面を前記駆動源に向けて延び」ることが規定され、明確である。このように構成されることにより、幅方向に小型化が図れることは明らかである。
　また、上記第２の２（２）のとおり、発明の詳細な説明に記載されており、発明の詳細な説明は、当業者が、本件発明９を実施できる程度に明確かつ十分に記載されている。
　上記２（２）アの本件発明９に対する取消理由及び上記２（２）オ、カの取消理由は解消した。
　　
（２）取消理由通知において採用しなかった特許異議申立理由について
ア　特許法第２９条第１項第３号
　特許異議申立人は、本件発明１、２は、甲第１号証に記載された発明又は甲第２号証に記載された発明であると主張する。
　しかしながら、本件発明１と甲第１号証に記載された発明とを対比すると、上記（１）ア（ア）ａ（ｂ）のとおり、相違点があり、本件発明１と甲第２号証に記載された発明とを対比すると、上記（１）ア（ア）ｂ（ｂ）のとおり、相違点があるから、本件発明１は、甲第１号証に記載された発明でなく、甲第２号証に記載された発明でもない。
　したがって、上記主張に理由はない。
　　
イ　特許法第２９条第２項
（ア）本件発明６〜８について
　特許異議申立人は、本件発明６〜８は、甲第１号証に記載された発明又は甲第２号証に記載された発明、及び周知技術から、容易になし得た発明であると主張する。
　しかしながら、本件発明６〜８は、請求項１の記載（本件発明１）を直接又は間接的に引用しており、本件発明１が、甲１発明及び甲２〜７に記載された技術、又は甲２発明及び甲１、甲３〜７に記載された技術に基づいて、当業者が容易に発明できたものではないことは、上記（１）ア（ア）のとおりであるから、本件発明６〜８は、甲１発明及び甲２〜７に記載された技術、又は甲２発明及び甲１、甲３〜７に記載された技術に基づいて、当業者が容易に発明できたものではない。
　したがって、上記主張に理由はない。
　　
（イ）本件発明９について
　特許異議申立人は、本件発明９は、甲第１号証に記載された発明又は甲第２号証に記載された発明、及び周知技術から、容易になし得た発明であると主張する。
　しかしながら、上記主張に理由はない。
　詳細は以下のとおりである。
　　
ａ　本件発明９
　本件発明９を再掲すると次のとおりである。
　
（本件発明９）
（９Ａ）シートが搬送される搬送路の上側に配置され、第１コネクタを有し、前記搬送路を搬送方向に搬送されるシートの画像を読み取るように構成された第１読取部と、
（９Ｂ）前記搬送路の下側に配置され、第２コネクタを有し、前記搬送路を前記搬送方向に搬送される前記シートの画像を読み取るように構成された第２読取部と、
（９Ｃ）前記第１読取部および前記第２読取部に対して前記搬送方向と直交する幅方向の一方側に配置され、前記シートを搬送するための駆動力を発生する駆動源と、
（９Ｄ）前記第２読取部の下側に配置され、第３コネクタおよび第４コネクタをそれぞれ前記幅方向の一方側および他方側の端部に有する基板と、
（９Ｅ）前記第１コネクタに一端が接続され、前記第３コネクタに他端が接続された第１ケーブルと、
（９Ｆ）前記第２コネクタに一端が接続され、前記第４コネクタに他端が接続された第２ケーブルとを備え、
（９Ｇ）前記第１コネクタは、前記第１読取部の上側における前記幅方向の他方側の端部に、前記第１ケーブルが前記搬送方向の下流側から接続されるように配置され、
（９Ｈ）前記第２コネクタは、前記第２読取部の下側における前記幅方向の一方側の端部に、前記第２ケーブルが前記搬送方向の下流側から接続されるように配置され、
（９Ｉ）前記第１ケーブルは、面および厚みを有するフレキシブルフラットケーブルであり、前記第１コネクタと前記第３コネクタとの間で、前記第１コネクタから前記第１読取部を前記駆動源側に越える位置まで、前記面を前記第１読取部に向けて延び、前記第１読取部を前記駆動源側に越えて、前記駆動源に対して上側から対向する位置で下側に屈曲し、前記駆動源に対して前記搬送方向の下流側から対向する位置において、前記第２読取部を上下方向における下側に越える位置まで、前記面を前記駆動源に向けて延び、
（９Ｊ）前記第２ケーブルは、前記第２コネクタと前記第４コネクタとの間で、前記幅方向に延びる、
（９Ｋ）画像読取装置。
　　
ｂ　甲１発明に基づく容易想到性
（ａ）甲１発明
　甲１発明を再掲すると次のとおりである。
　　
（甲１発明）
（１ａ）第１接続点を有し、搬送路を搬送方向に搬送されるシートの画像を読み取るように構成された第二イメージセンサと、
（１ｂ）前記搬送路に対して前記第二イメージセンサと反対側に配置され、第２接続点を有し、前記搬送路を前記搬送方向に搬送される前記シートの画像を読み取るように構成された第一イメージセンサと、
（１ｃ）前記第一イメージセンサよび前記第二イメージセンサに対して前記搬送方向と直交する幅方向の一方側に配置され、前記シートを搬送するための駆動力を発生するＡＤＦ駆動モータと、　　
（１ｄ）前記第二イメージセンサに対して前記第一イメージセンサ側に配置され、第３接続点および第４接続点を有する制御基板と、
（１ｅ）前記第１接続点に一端が接続され、前記第３接続点に他端が接続された第二フレキシブルフラットケーブルと、
（１ｆ）前記第２接続点に一端が接続され、前記第４接続点に他端が接続された第一フレキシブルフラットケーブルとを備え、
（１ｇ）第二フレキシブルフラットケーブルは、第二イメージセンサをＡＤＦ駆動モータ側に迂回する
（１ｈ）画像読取装置。
　　
（ｂ）対比・判断
　構成要件９Ａと構成１ａとを対比する。
　甲１発明の「第二イメージセンサ」は、本件発明９の「第１読取部」に対応する。
　しかしながら、甲１発明の「第二イメージセンサ」は、「シートが搬送される搬送路の上側に配置され」るものでなく、本件発明９と相違する。
　本件発明９と甲１発明とを全体的にみると、ともに、第１読取部、第２読取部を備える画像読取装置といえるものの、第１読取部の配置が異なり、構造が相違するものである。
　甲１発明において、「第１読取部」に相当する「第二イメージセンサ」を「シートが搬送される搬送路の上側に配置され」るようにする理由は、甲１にはなく、甲２〜甲７をみても、当該理由はない。
　したがって、本件発明９は、甲１発明及び甲第２号証〜甲第７号証に記載された技術に基づいて容易になし得たものではない。
　　
ｃ　甲２発明に基づく容易想到性
（ａ）甲２発明
　甲２発明を再掲すると次のとおりである。
　　
（甲２発明）
（２ａ）第１接続点を有し、搬送路を搬送方向に搬送されるシートの画像を読み取るように構成された読取部と、
（２ｂ）前記搬送路に対して前記読取部と反対側に配置され、第２接続点を有し、前記搬送路を前記搬送方向に搬送される前記シートの画像を読み取るように構成された本体部側読取部と、
（２ｃ）前記読取部よび前記本体部側読取部に対して前記搬送方向と直交する幅方向の一方側に配置され、前記シートを搬送するための駆動力を発生する駆動源と、
（２ｄ）前記読取部に対して前記本体部側読取部側に配置され、第１のコネクタおよび第２のコネクタを有する制御基板と、
（２ｅ）前記第１接続点に一端が接続され、前記第１のコネクタに他端が接続されたフレキシブルフラットケーブル７Ａと、
（２ｆ）前記第２接続点に一端が接続され、前記第２のコネクタに他端が接続されたフレキシブルフラットケーブル７Ｂとを備え、
（２ｇ）フレキシブルフラットケーブル７Ａは、読取部を駆動源側に迂回する
（２ｈ）画像読取装置。
　　
（ｂ）対比・判断
　構成要件９Ａと構成２ａとを対比する。
　甲２発明の「読取部」は、本件発明９の「第１読取部」に対応する。
　しかしながら、甲２発明の「読取部」は、「シートが搬送される搬送路の上側に配置され」るものでなく、本件発明９と相違する。
　本件発明９と甲２発明とを全体的にみると、ともに、第１読取部、第２読取部を備える画像読取装置といえるものの、第１読取部の配置が異なり、構造が相違するものである。
　甲２発明において、「第１読取部」に相当する「読取部」を「シートが搬送される搬送路の上側に配置され」るようにする理由は、甲２にはなく、甲１、甲３〜甲７をみても、当該理由はない。
　したがって、本件発明９は、甲２発明及び甲第１号証、甲第３号証〜甲第７号証に記載された技術に基づいて容易になし得たものではない。
　　
第４　むすび
　以上のとおりであるから、取消理由通知に記載した取消理由及び特許異議申立書に記載した特許異議申立理由によっては、本件請求項１〜３、６〜９に係る特許を取り消すことはできない。
　また、他に本件請求項１〜３、６〜９に係る特許を取り消すべき理由を発見しない。
　さらに、請求項４、５に係る特許は、訂正により、削除されたため、本件特許の請求項４、５に対して、特許異議申立人がした特許異議申立てについては、対象となる請求項が存在しない。
　よって、結論のとおり決定する。
【異議決定日】
平成２９年６月１３日（２０１７．６．１３）
【訂正の要旨】
審決（決定）の【理由】欄参照。
（５７）【特許請求の範囲】
　【請求項１】
　第１コネクタを有し、搬送路を搬送方向に搬送されるシートの画像を読み取るように構成された第１読取部と、
　前記搬送路に対して前記第１読取部と反対側に配置され、第２コネクタを有し、前記搬送路を前記搬送方向に搬送される前記シートの画像を読み取るように構成された第２読取部と、
　前記第１読取部および前記第２読取部に対して前記搬送方向と直交する幅方向の一方側に配置され、前記シートを搬送するための駆動力を発生する駆動源と、
　前記第１読取部に対して前記第２読取部側に配置され、第３コネクタおよび第４コネクタを有する基板と、
　前記第１コネクタに一端が接続され、前記第３コネクタに他端が接続された第１ケーブルと、
　前記第２コネクタに一端が接続され、前記第４コネクタに他端が接続された第２ケーブルとを備え、
　前記第１コネクタは、前記第１読取部に対して前記第２読取部と反対側に配置され、
　前記第１ケーブルは、面および厚みを有するフレキシブルフラットケーブルであり、前記第１コネクタと前記第３コネクタとの間で、前記第１コネクタから前記第１読取部を前記駆動源側に越える位置まで、前記面を前記第１読取部に向けて延び、前記第１読取部を前記駆動源側に越えて、前記駆動源に対して前記搬送方向および前記幅方向の両方向と直交する直交方向における前記第２読取部に対する前記第１読取部側から対向する位置で前記第２読取部側に屈曲し、前記駆動源に対して前記搬送方向の下流側から対向する位置において、前記第２読取部を前記直交方向における前記第１読取部側と反対側に越える位置まで、前記面を前記駆動源に向けて延びている、画像読取装置。
　【請求項２】
　前記基板は、前記第２読取部に対して前記第１読取部と反対側に配置され、
　前記第２コネクタは、前記第２読取部における前記基板側に設けられ、
　前記第２ケーブルは、前記第２コネクタと前記第４コネクタとの間で前記幅方向に延びる、請求項１に記載の画像読取装置。
　【請求項３】
　前記第１コネクタは、前記第１読取部における前記幅方向の他方側の端部に配置され、
　前記第２コネクタは、前記第２読取部における前記幅方向の一方側の端部に配置され、
　前記第３コネクタは、前記基板における前記幅方向の一方側の端部に配置され、
　前記第４コネクタは、前記基板における前記幅方向の他方側の端部に配置されている、請求項２に記載の画像読取装置。
　【請求項４】（削除）
　【請求項５】（削除）
　【請求項６】
　前記駆動源に対して前記搬送方向の下流側に設けられ、前記搬送方向および前記幅方向の両方向と直交する直交方向に延び、前記幅方向の一方側の端縁が前記第１ケーブルに対して前記幅方向の一方側に位置する壁部を備え、
　前記壁部は、前記駆動源に対して前記直交方向の一方側の位置と前記駆動源に対して前記搬送方向の下流側の位置との間を延びる第１壁部と、前記駆動源に対して前記搬送方向の下流側の位置と前記駆動源に対して前記直交方向の他方側の位置との間を延びる第２壁部とを含み、
　前記第１ケーブルは、前記壁部に対して前記搬送方向の下流側を前記壁部に沿って延びる、請求項１〜３のいずれか一項に記載の画像読取装置。
　【請求項７】
　前記基板は、第５コネクタを有し、
　前記第２読取部に対して前記第１読取部側に配置され、第６コネクタを有し、各種操作を受け付けるように構成される操作部と、
　前記第５コネクタに一端が接続され、前記第６コネクタに他端が接続された第３ケーブルとを備え、
　前記第６コネクタは、前記第１読取部に対して前記第２読取部と反対側に配置され、
　前記第３ケーブルは、面および厚みを有するフレキシブルフラットケーブルであり、前記第５コネクタと前記第６コネクタとの間で、前記第６コネクタから前記第１読取部を前記駆動源側に越える位置まで、前記面を前記第１読取部に向けて延び、前記第１読取部を前記駆動源側に越えて、前記駆動源に対して前記直交方向における前記読み取り部に対する前記第１読取部側から対向する位置で、前記第２読取部側に屈曲し、前記駆動源に対して前記搬送方向の下流側から対向する位置において、前記第２読取部を前記直交方向における前記第１読取部側と反対側に越える位置まで、前記面を前記駆動源に向けて延びている、請求項１〜３、６のいずれか一項に記載の画像読取装置。
　【請求項８】
　前記第１ケーブルと前記第３ケーブルとの間に介在されるフィルムを備える、請求項７に記載の画像読取装置。
　【請求項９】
　シートが搬送される搬送路の上側に配置され、第１コネクタを有し、前記搬送路を搬送方向に搬送されるシートの画像を読み取るように構成された第１読取部と、
　前記搬送路の下側に配置され、第２コネクタを有し、前記搬送路を前記搬送方向に搬送される前記シートの画像を読み取るように構成された第２読取部と、
　前記第１読取部および前記第２読取部に対して前記搬送方向と直交する幅方向の一方側に配置され、前記シートを搬送するための駆動力を発生する駆動源と、
　前記第２読取部の下側に配置され、第３コネクタおよび第４コネクタをそれぞれ前記幅方向の一方側および他方側の端部に有する基板と、
　前記第１コネクタに一端が接続され、前記第３コネクタに他端が接続された第１ケーブルと、
　前記第２コネクタに一端が接続され、前記第４コネクタに他端が接続された第２ケーブルとを備え、
　前記第１コネクタは、前記第１読取部の上側における前記幅方向の他方側の端部に、前記第１ケーブルが前記搬送方向の下流側から接続されるように配置され、
　前記第２コネクタは、前記第２読取部の下側における前記幅方向の一方側の端部に、前記第２ケーブルが前記搬送方向の下流側から接続されるように配置され、
　前記第１ケーブルは、面および厚みを有するフレキシブルフラットケーブルであり、前記第１コネクタと前記第３コネクタとの間で、前記第１コネクタから前記第１読取部を前記駆動源側に越える位置まで、前記面を前記第１読取部に向けて延び、前記第１読取部を前記駆動源側に越えて、前記駆動源に対して上側から対向する位置で下側に屈曲し、前記駆動源に対して前記搬送方向の下流側から対向する位置において、前記第２読取部を上下方向における下側に越える位置まで、前記面を前記駆動源に向けて延び、
　前記第２ケーブルは、前記第２コネクタと前記第４コネクタとの間で、前記幅方向に延びる、画像読取装置。